(57)【特許請求の範囲】
【請求項１】
第１テレビ会議装置、第２テレビ会議装置および第３テレビ会議装置を備えるテレビ会議システムであって、
前記第１テレビ会議装置は、
前記第１テレビ会議装置が前記第２テレビ会議装置とのテレビ会議に用いた画面構成の設定情報を含む引き継ぎ情報を生成する引き継ぎ情報生成部と、
前記第１テレビ会議装置の前記引き継ぎ情報生成部が生成した前記引き継ぎ情報を送信する送信部とを備え、
前記第３テレビ会議装置は、
前記引き継ぎ情報を受信する受信部と、
前記第３テレビ会議装置の前記テレビ会議への参加が認証された後に前記第３テレビ会議装置が前記画面構成を引き継いで前記第２テレビ会議装置との前記テレビ会議を実行するように、前記第３テレビ会議装置の前記受信部が受信した前記引き継ぎ情報を用いて前記第３テレビ会議装置の画面構成を設定する引き継ぎ設定部とを備える
テレビ会議システム。
【請求項２】
前記第１テレビ会議装置の前記引き継ぎ情報生成部は、前記第２テレビ会議装置を特定するための情報を含む前記引き継ぎ情報を生成し、
前記第３テレビ会議装置の前記引き継ぎ設定部は、さらに、前記引き継ぎ情報によって特定される前記第２テレビ会議装置との前記テレビ会議を実行するように、前記引き継ぎ情報を用いて前記第３テレビ会議装置の接続先を設定する
請求項１に記載のテレビ会議システム。
【請求項３】
前記第３テレビ会議装置の前記引き継ぎ設定部は、前記第３テレビ会議装置の物理的な画面の特性と前記第１テレビ会議装置の物理的な画面の特性とが同じ場合、前記引き継ぎ情報を用いて前記第３テレビ会議装置の前記画面構成を設定する
請求項１または請求項２に記載のテレビ会議システム。
【請求項４】
前記第２テレビ会議装置は、さらに、
前記引き継ぎ情報を受信する受信部と、
前記第２テレビ会議装置の前記受信部が受信した前記引き継ぎ情報を保存する引き継ぎ情報保存部と、
前記第２テレビ会議装置の前記引き継ぎ情報保存部が保存した前記引き継ぎ情報を送信する送信部とを備え、
前記第１テレビ会議装置の前記送信部は、前記第３テレビ会議装置が前記引き継ぎ情報を受信できない状態の場合、前記第２テレビ会議装置に前記引き継ぎ情報を送信し、
前記第２テレビ会議装置の前記送信部は、前記第３テレビ会議装置が前記引き継ぎ情報を受信できる状態になった後、前記第３テレビ会議装置に前記引き継ぎ情報を送信する
請求項１〜３のいずれか１項に記載のテレビ会議システム。
【請求項５】
前記第２テレビ会議装置の前記送信部は、前記第２テレビ会議装置の前記受信部が前記引き継ぎ情報を受信してから、前記第３テレビ会議装置が前記引き継ぎ情報を受信できる状態になるまでの時間が、所定の制限時間の範囲内である場合、前記第３テレビ会議装置に前記引き継ぎ情報を送信し、
前記第２テレビ会議装置の前記引き継ぎ情報保存部は、前記第２テレビ会議装置の前記受信部が前記引き継ぎ情報を受信してから、前記第３テレビ会議装置が前記引き継ぎ情報を受信できる状態になるまでの時間が、所定の制限時間を越えた場合、前記引き継ぎ情報を消去する
請求項４に記載のテレビ会議システム。
【請求項６】
前記第１テレビ会議装置の前記送信部は、前記第１テレビ会議装置から前記第３テレビ会議装置への引き継ぎを通知する接続拠点変更通知を前記第２テレビ会議装置に送信し、
前記第３テレビ会議装置は、さらに、前記第３テレビ会議装置の前記受信部が前記引き継ぎ情報を受信した後、前記第２テレビ会議装置に接続要求を送信する送信部を備え、
前記第２テレビ会議装置は、さらに、
前記接続拠点変更通知および前記接続要求を受信する受信部と、
前記第１テレビ会議装置から送信された前記接続拠点変更通知によって示される引き継ぎ先である前記第３テレビ会議装置と、前記接続要求を送信した前記第３テレビ会議装置とが一致する場合、前記第３テレビ会議装置の参加を認証するサーバ部とを備える
請求項１〜３のいずれか１項に記載のテレビ会議システム。
【請求項７】
前記第２テレビ会議装置の前記サーバ部は、前記第１テレビ会議装置から送信された前記接続拠点変更通知によって示される引き継ぎ先である前記第３テレビ会議装置と、前記接続要求を送信した前記第３テレビ会議装置とが一致する場合、かつ、前記接続拠点変更通知が受信されてから、前記接続要求が受信されるまでの時間が、所定の制限時間の範囲内である場合、前記第３テレビ会議装置の参加を認証する
請求項６に記載のテレビ会議システム。
【請求項８】
前記第１テレビ会議装置は、さらに、前記テレビ会議への参加を認証するサーバとしての動作をするサーバ部を備え、
前記第１テレビ会議装置の前記送信部は、前記第２テレビ会議装置に前記サーバとしての動作をするように指示する情報を送信し、
前記第１テレビ会議装置の前記サーバ部は、前記サーバとしての動作を停止し、
前記第２テレビ会議装置は、さらに、
前記サーバとしての動作をするように指示する情報を受信する受信部と、
前記第２テレビ会議装置の前記受信部が前記サーバとしての動作をするように指示する情報を受信した場合、前記サーバとしての動作を開始するサーバ部とを備える
請求項１〜３のいずれか１項に記載のテレビ会議システム。
【請求項９】
前記第２テレビ会議装置は、さらに、
前記第３テレビ会議装置で撮影された映像を表示する画像出力部と、
前記第３テレビ会議装置で撮影された前記映像が表示された後、前記第３テレビ会議装置の前記テレビ会議への参加を認証する情報を入力するための認証情報入力部と、
前記第２テレビ会議装置の前記認証情報入力部で前記第３テレビ会議装置の前記テレビ会議への参加を認証する情報が入力された後、前記第２テレビ会議装置で撮影された映像を前記第３テレビ会議装置へ送信する送信部とを備える
請求項１〜３のいずれか１項に記載のテレビ会議システム。
【請求項１０】
前記テレビ会議システムは、さらに、第４テレビ会議装置を備え、
前記第４テレビ会議装置は、前記第２テレビ会議装置で前記第３テレビ会議装置の参加が認証された後、前記第４テレビ会議装置で撮影された映像を前記第３テレビ会議装置へ送信する送信部を備える
請求項９に記載のテレビ会議システム。
【請求項１１】
前記テレビ会議システムは、さらに、第４テレビ会議装置を備え、
前記第４テレビ会議装置は、
前記第３テレビ会議装置で撮影された前記映像を表示する画像出力部と、
前記第３テレビ会議装置で撮影された前記映像が表示された後、前記第３テレビ会議装置の前記テレビ会議への参加を認証する情報を入力するための認証情報入力部と、
前記第４テレビ会議装置の前記認証情報入力部で前記第３テレビ会議装置の前記テレビ会議への参加を認証する情報が入力された後、前記第４テレビ会議装置で撮影された映像を前記第３テレビ会議装置へ送信する送信部とを備える
請求項９に記載のテレビ会議システム。
【請求項１２】
第１テレビ会議装置および第２テレビ会議装置を備えるテレビ会議システムにおいて、前記第１テレビ会議装置として用いられるテレビ会議装置であって、
前記第１テレビ会議装置が前記第２テレビ会議装置とのテレビ会議に用いた画面構成の設定情報を含む引き継ぎ情報を生成する引き継ぎ情報生成部と、
前記第１テレビ会議装置の前記引き継ぎ情報生成部が生成した前記引き継ぎ情報を送信する送信部とを備える
テレビ会議装置。
【請求項１３】
第１テレビ会議装置、第２テレビ会議装置および第３テレビ会議装置を備えるテレビ会議システムにおいて、前記第３テレビ会議装置として用いられるテレビ会議装置であって、
前記第１テレビ会議装置が前記第２テレビ会議装置とのテレビ会議に用いた画面構成の設定情報を含む引き継ぎ情報を受信する受信部と、
前記第３テレビ会議装置の前記テレビ会議への参加が認証された後に前記第３テレビ会議装置が前記画面構成を引き継いで前記第２テレビ会議装置との前記テレビ会議を実行するように、前記第３テレビ会議装置の前記受信部が受信した前記引き継ぎ情報を用いて前記第３テレビ会議装置の画面構成を設定する引き継ぎ設定部とを備える
テレビ会議装置。
【請求項１４】
第１テレビ会議装置、第２テレビ会議装置および第３テレビ会議装置を備えるテレビ会議システムに用いられるテレビ会議制御方法であって、
前記第１テレビ会議装置において、前記第１テレビ会議装置が前記第２テレビ会議装置とのテレビ会議に用いた画面構成の設定情報を含む引き継ぎ情報を生成する引き継ぎ情報生成ステップと、
前記第１テレビ会議装置において、前記引き継ぎ情報生成ステップで生成された前記引き継ぎ情報を送信する送信ステップと、
前記第３テレビ会議装置において、前記引き継ぎ情報を受信する受信ステップと、
前記第３テレビ会議装置において、前記第３テレビ会議装置の前記テレビ会議への参加が認証された後に前記第３テレビ会議装置が前記画面構成を引き継いで前記第２テレビ会議装置との前記テレビ会議を実行するように、前記受信ステップで受信された前記引き継ぎ情報を用いて前記第３テレビ会議装置の画面構成を設定する引き継ぎ設定ステップとを含む
テレビ会議制御方法。
【請求項１５】
第１テレビ会議装置および第２テレビ会議装置を備えるテレビ会議システムに用いられるテレビ会議制御方法であって、
前記第１テレビ会議装置において、前記第１テレビ会議装置が前記第２テレビ会議装置とのテレビ会議に用いた画面構成の設定情報を含む引き継ぎ情報を生成する引き継ぎ情報生成ステップと、
前記第１テレビ会議装置において、前記引き継ぎ情報生成ステップで生成された前記引き継ぎ情報を送信する送信ステップとを含む
テレビ会議制御方法。
【請求項１６】
第１テレビ会議装置、第２テレビ会議装置および第３テレビ会議装置を備えるテレビ会議システムに用いられるテレビ会議制御方法であって、
前記第３テレビ会議装置において、前記第１テレビ会議装置が前記第２テレビ会議装置とのテレビ会議に用いた画面構成の設定情報を含む引き継ぎ情報を受信する受信ステップと、
前記第３テレビ会議装置において、前記第３テレビ会議装置の前記テレビ会議への参加が認証された後に前記第３テレビ会議装置が前記画面構成を引き継いで前記第２テレビ会議装置との前記テレビ会議を実行するように、前記受信ステップで受信された前記引き継ぎ情報を用いて前記第３テレビ会議装置の画面構成を設定する引き継ぎ設定ステップとを含む
テレビ会議制御方法。
【請求項１７】
請求項１５に記載のテレビ会議制御方法に含まれるステップをコンピュータに実行させるための
プログラム。
【請求項１８】
請求項１６に記載のテレビ会議制御方法に含まれるステップをコンピュータに実行させるための
プログラム。
【発明の詳細な説明】
【技術分野】
【０００１】
本発明は、双方向型のテレビ会議通信を実現するテレビ会議システム、テレビ会議装置、および、その制御方法に関するものである。
【背景技術】
【０００２】
従来、テレビ会議システムのユーザが、テレビ会議を行っている場所から離れる必要がある場合に、携帯端末装置を使用して、テレビ会議システムからのコールを受信し、受信したコールに基づいて、音声による通信を行うテレビ会議システムが考えられている。
【０００３】
このような従来の技術として、例えば特許文献１に記載されたものが知られている。
【先行技術文献】
【特許文献】
【０００４】
【特許文献１】特開２００２−３３５５０２号公報
【発明の概要】
【発明が解決しようとする課題】
【０００５】
しかしながら、双方向型の動画通信技術を用いるテレビ会議システムにおいて、テレビ会議システムのユーザが場所を移動した場合に、相手側の映像が見えるようにテレビ会議通信を継続することは容易ではない。例えば、一旦、テレビ会議から退席して、再度、別の場所にあるテレビ会議装置を用いてテレビ会議に参加する方法が考えられる。しかし、この方法の場合、改めて接続し直す必要があり、それまでの会議に関する情報、画像の出力方法および接続条件などの設定情報が継続されないという課題がある。
【０００６】
さらに、特定の参加者のみが参加可能なテレビ会議の場合、ユーザがテレビ会議に参加するとき、参加認証が行われる場合がある。しかし、部屋が変わることで、ＩＰ（Ｉｎｔｅｒｎｅｔ  Ｐｒｏｔｏｃｏｌ）アドレスが変わる。したがって、ユーザが再接続するとき、他のユーザは、そのユーザが間違ってテレビ会議に入ってきたのか否かが分からない。すなわち、ユーザがテレビ会議装置を変更して再接続をする場合、同じユーザによる接続か、異なるユーザによる接続かが判別できない。このため、テレビ会議システムの利用が継続できないという課題がある。
【０００７】
本発明は、上記の課題を解決するものであり、テレビ会議システムのユーザが、別の場所に移動する場合であっても、テレビ会議システムの利用を継続できるテレビ会議システムを提供することを目的とする。
【課題を解決するための手段】
【０００８】
上記課題を解決するために、本発明に係るテレビ会議システムは、第１テレビ会議装置、第２テレビ会議装置および第３テレビ会議装置を備えるテレビ会議システムであって、前記第１テレビ会議装置は、前記第１テレビ会議装置が前記第２テレビ会議装置とのテレビ会議に用いた画面構成の設定情報を含む引き継ぎ情報を生成する引き継ぎ情報生成部と、前記第１テレビ会議装置の前記引き継ぎ情報生成部が生成した前記引き継ぎ情報を送信する送信部とを備え、前記第３テレビ会議装置は、前記引き継ぎ情報を受信する受信部と、前記第３テレビ会議装置の前記テレビ会議への参加が認証された後に前記第３テレビ会議装置が前記画面構成を引き継いで前記第２テレビ会議装置との前記テレビ会議を実行するように、前記第３テレビ会議装置の前記受信部が受信した前記引き継ぎ情報を用いて前記第３テレビ会議装置の画面構成を設定する引き継ぎ設定部とを備える。
【０００９】
これにより、テレビ会議システムのユーザが、別の場所に移動する場合であっても、テレビ会議システムの利用を継続できる。
【００１０】
また、前記第１テレビ会議装置の前記引き継ぎ情報生成部は、前記第２テレビ会議装置を特定するための情報を含む前記引き継ぎ情報を生成し、前記第３テレビ会議装置の前記引き継ぎ設定部は、さらに、前記引き継ぎ情報によって特定される前記第２テレビ会議装置との前記テレビ会議を実行するように、前記引き継ぎ情報を用いて前記第３テレビ会議装置の接続先を設定してもよい。
【００１１】
これにより、引き継ぎ先のテレビ会議装置は、引き継ぎ情報を用いて、引き継ぎ元のテレビ会議装置が接続していたテレビ会議装置に接続できる。
【００１２】
また、前記第３テレビ会議装置の前記引き継ぎ設定部は、前記第３テレビ会議装置の物理的な画面の特性と前記第１テレビ会議装置の物理的な画面の特性とが同じ場合、前記引き継ぎ情報を用いて前記第３テレビ会議装置の前記画面構成を設定してもよい。
【００１３】
これにより、引き継ぎ先のテレビ会議装置は、画面構成を正常に引き継ぐことができる。
【００１４】
また、前記第２テレビ会議装置は、さらに、前記引き継ぎ情報を受信する受信部と、前記第２テレビ会議装置の前記受信部が受信した前記引き継ぎ情報を保存する引き継ぎ情報保存部と、前記第２テレビ会議装置の前記引き継ぎ情報保存部が保存した前記引き継ぎ情報を送信する送信部とを備え、前記第１テレビ会議装置の前記送信部は、前記第３テレビ会議装置が前記引き継ぎ情報を受信できない状態の場合、前記第２テレビ会議装置に前記引き継ぎ情報を送信し、前記第２テレビ会議装置の前記送信部は、前記第３テレビ会議装置が前記引き継ぎ情報を受信できる状態になった後、前記第３テレビ会議装置に前記引き継ぎ情報を送信してもよい。
【００１５】
これにより、引き継ぎ先の電源がオフになっている場合であっても、電源がオンになった後に、引き継ぎが行われる。
【００１６】
また、前記第２テレビ会議装置の前記送信部は、前記第２テレビ会議装置の前記受信部が前記引き継ぎ情報を受信してから、前記第３テレビ会議装置が前記引き継ぎ情報を受信できる状態になるまでの時間が、所定の制限時間の範囲内である場合、前記第３テレビ会議装置に前記引き継ぎ情報を送信し、前記第２テレビ会議装置の前記引き継ぎ情報保存部は、前記第２テレビ会議装置の前記受信部が前記引き継ぎ情報を受信してから、前記第３テレビ会議装置が前記引き継ぎ情報を受信できる状態になるまでの時間が、所定の制限時間を越えた場合、前記引き継ぎ情報を消去してもよい。
【００１７】
これにより、セキュリティが確保される。
【００１８】
また、前記第１テレビ会議装置の前記送信部は、前記第１テレビ会議装置から前記第３テレビ会議装置への引き継ぎを通知する接続拠点変更通知を前記第２テレビ会議装置に送信し、前記第３テレビ会議装置は、さらに、前記第３テレビ会議装置の前記受信部が前記引き継ぎ情報を受信した後、前記第２テレビ会議装置に接続要求を送信する送信部を備え、前記第２テレビ会議装置は、さらに、前記接続拠点変更通知および前記接続要求を受信する受信部と、前記第１テレビ会議装置から送信された前記接続拠点変更通知によって示される引き継ぎ先である前記第３テレビ会議装置と、前記接続要求を送信した前記第３テレビ会議装置とが一致する場合、前記第３テレビ会議装置の参加を認証するサーバ部とを備えてもよい。
【００１９】
これにより、正しい引き継ぎ先であるか否かが確認できる。
【００２０】
また、前記第２テレビ会議装置の前記サーバ部は、前記第１テレビ会議装置から送信された前記接続拠点変更通知によって示される引き継ぎ先である前記第３テレビ会議装置と、前記接続要求を送信した前記第３テレビ会議装置とが一致する場合、かつ、前記接続拠点変更通知が受信されてから、前記接続要求が受信されるまでの時間が、所定の制限時間の範囲内である場合、前記第３テレビ会議装置の参加を認証してもよい。
【００２１】
これにより、不正な接続が制限される。
【００２２】
また、前記第１テレビ会議装置は、さらに、前記テレビ会議への参加を認証するサーバとしての動作をするサーバ部を備え、前記第１テレビ会議装置の前記送信部は、前記第２テレビ会議装置に前記サーバとしての動作をするように指示する情報を送信し、前記第１テレビ会議装置の前記サーバ部は、前記サーバとしての動作を停止し、前記第２テレビ会議装置は、さらに、前記サーバとしての動作をするように指示する情報を受信する受信部と、前記第２テレビ会議装置の前記受信部が前記サーバとしての動作をするように指示する情報を受信した場合、前記サーバとしての動作を開始するサーバ部とを備えてもよい。
【００２３】
これにより、引き継ぎ元がテレビ会議システムのサーバである場合であっても、引き継ぎが行われる。
【００２４】
また、前記第２テレビ会議装置は、さらに、前記第３テレビ会議装置で撮影された映像を表示する画像出力部と、前記第３テレビ会議装置で撮影された前記映像が表示された後、前記第３テレビ会議装置の前記テレビ会議への参加を認証する情報を入力するための認証情報入力部と、前記第２テレビ会議装置の前記認証情報入力部で前記第３テレビ会議装置の前記テレビ会議への参加を認証する情報が入力された後、前記第２テレビ会議装置で撮影された映像を前記第３テレビ会議装置へ送信する送信部とを備えてもよい。
【００２５】
これにより、画面による認証が可能になる。したがって、より確実に認証が行われ、セキュリティが確保される。
【００２６】
また、前記テレビ会議システムは、さらに、第４テレビ会議装置を備え、前記第４テレビ会議装置は、前記第２テレビ会議装置で前記第３テレビ会議装置の参加が認証された後、前記第４テレビ会議装置で撮影された映像を前記第３テレビ会議装置へ送信する送信部を備えてもよい。
【００２７】
これにより、包括的な認証が可能になる。
【００２８】
また、前記テレビ会議システムは、さらに、第４テレビ会議装置を備え、前記第４テレビ会議装置は、前記第３テレビ会議装置で撮影された前記映像を表示する画像出力部と、前記第３テレビ会議装置で撮影された前記映像が表示された後、前記第３テレビ会議装置の前記テレビ会議への参加を認証する情報を入力するための認証情報入力部と、前記第４テレビ会議装置の前記認証情報入力部で前記第３テレビ会議装置の前記テレビ会議への参加を認証する情報が入力された後、前記第４テレビ会議装置で撮影された映像を前記第３テレビ会議装置へ送信する送信部とを備えてもよい。
【００２９】
これにより、それぞれのテレビ会議装置において、より柔軟な認証が可能になる。
【００３０】
また、本発明に係るテレビ会議装置は、第１テレビ会議装置および第２テレビ会議装置を備えるテレビ会議システムにおいて、前記第１テレビ会議装置として用いられるテレビ会議装置であって、前記第１テレビ会議装置が前記第２テレビ会議装置とのテレビ会議に用いた画面構成の設定情報を含む引き継ぎ情報を生成する引き継ぎ情報生成部と、前記第１テレビ会議装置の前記引き継ぎ情報生成部が生成した前記引き継ぎ情報を送信する送信部とを備えるテレビ会議装置でもよい。
【００３１】
これにより、テレビ会議システムの利用を継続するための情報が出力される。
【００３２】
また、本発明に係るテレビ会議装置は、第１テレビ会議装置、第２テレビ会議装置および第３テレビ会議装置を備えるテレビ会議システムにおいて、前記第３テレビ会議装置として用いられるテレビ会議装置であって、前記第１テレビ会議装置が前記第２テレビ会議装置とのテレビ会議に用いた画面構成の設定情報を含む引き継ぎ情報を受信する受信部と、前記第３テレビ会議装置の前記テレビ会議への参加が認証された後に前記第３テレビ会議装置が前記画面構成を引き継いで前記第２テレビ会議装置との前記テレビ会議を実行するように、前記第３テレビ会議装置の前記受信部が受信した前記引き継ぎ情報を用いて前記第３テレビ会議装置の画面構成を設定する引き継ぎ設定部とを備えるテレビ会議装置でもよい。
【００３３】
これにより、テレビ会議装置は、テレビ会議システムの利用が継続できるように設定される。
【００３４】
また、本発明に係るテレビ会議制御方法は、第１テレビ会議装置、第２テレビ会議装置および第３テレビ会議装置を備えるテレビ会議システムに用いられるテレビ会議制御方法であって、前記第１テレビ会議装置において、前記第１テレビ会議装置が前記第２テレビ会議装置とのテレビ会議に用いた画面構成の設定情報を含む引き継ぎ情報を生成する引き継ぎ情報生成ステップと、前記第１テレビ会議装置において、前記引き継ぎ情報生成ステップで生成された前記引き継ぎ情報を送信する送信ステップと、前記第３テレビ会議装置において、前記引き継ぎ情報を受信する受信ステップと、前記第３テレビ会議装置において、前記第３テレビ会議装置の前記テレビ会議への参加が認証された後に前記第３テレビ会議装置が前記画面構成を引き継いで前記第２テレビ会議装置との前記テレビ会議を実行するように、前記受信ステップで受信された前記引き継ぎ情報を用いて前記第３テレビ会議装置の画面構成を設定する引き継ぎ設定ステップとを含むテレビ会議制御方法でもよい。
【００３５】
これにより、テレビ会議システムのユーザが、別の場所に移動する場合であっても、テレビ会議システムの利用を継続できる。
【００３６】
また、本発明に係るテレビ会議制御方法は、第１テレビ会議装置および第２テレビ会議装置を備えるテレビ会議システムに用いられるテレビ会議制御方法であって、前記第１テレビ会議装置において、前記第１テレビ会議装置が前記第２テレビ会議装置とのテレビ会議に用いた画面構成の設定情報を含む引き継ぎ情報を生成する引き継ぎ情報生成ステップと、前記第１テレビ会議装置において、前記引き継ぎ情報生成ステップで生成された前記引き継ぎ情報を送信する送信ステップとを含むテレビ会議制御方法でもよい。
【００３７】
これにより、テレビ会議システムの利用を継続するための情報が出力される。
【００３８】
また、本発明に係るテレビ会議制御方法は、第１テレビ会議装置、第２テレビ会議装置および第３テレビ会議装置を備えるテレビ会議システムに用いられるテレビ会議制御方法であって、前記第３テレビ会議装置において、前記第１テレビ会議装置が前記第２テレビ会議装置とのテレビ会議に用いた画面構成の設定情報を含む引き継ぎ情報を受信する受信ステップと、前記第３テレビ会議装置において、前記第３テレビ会議装置の前記テレビ会議への参加が認証された後に前記第３テレビ会議装置が前記画面構成を引き継いで前記第２テレビ会議装置との前記テレビ会議を実行するように、前記受信ステップで受信された前記引き継ぎ情報を用いて前記第３テレビ会議装置の画面構成を設定する引き継ぎ設定ステップとを含むテレビ会議制御方法でもよい。
【００３９】
これにより、テレビ会議装置は、テレビ会議システムの利用が継続できるように設定される。
【００４０】
また、本発明に係るプログラムは、前記テレビ会議制御方法に含まれるステップをコンピュータに実行させるためのプログラムでもよい。
【００４１】
これにより、前記テレビ会議制御方法がプログラムとして実現される。
【発明の効果】
【００４２】
本発明によれば、テレビ会議システムのユーザが、別の場所に移動する場合であっても、テレビ会議システムの利用を継続できる。
【図面の簡単な説明】
【００４３】
【図１】図１は、実施の形態１におけるテレビ会議システムの概要図である。
【図２】図２は、実施の形態１における引き継ぎ処理の概念図である。
【図３】図３は、実施の形態１における拠点Ａのテレビ会議装置の構成図である。
【図４】図４は、実施の形態１における拠点Ｂのテレビ会議装置の構成図である。
【図５】図５は、実施の形態１における拠点Ｅのテレビ会議装置の構成図である。
【図６】図６は、実施の形態１における拠点Ｃおよび拠点Ｄのテレビ会議装置の構成図である。
【図７】図７は、実施の形態１における引き継ぎ処理を示すシーケンス図である。
【図８】図８は、実施の形態１における引き継ぎ処理を示すシーケンス図である。
【図９】図９は、実施の形態１における引き継ぎ処理を示すシーケンス図である。
【図１０】図１０は、実施の形態１における引き継ぎ処理を示すシーケンス図である。
【図１１】図１１は、実施の形態１における引き継ぎ処理を示すシーケンス図である。
【図１２】図１２は、実施の形態１における拠点Ａの処理を示すフローチャートである。
【図１３】図１３は、実施の形態１における拠点Ａの処理を示すフローチャートである。
【図１４】図１４は、実施の形態１における拠点Ｂの処理を示すフローチャートである。
【図１５】図１５は、実施の形態１における拠点Ｂの処理を示すフローチャートである。
【図１６】図１６は、実施の形態１における拠点Ｃおよび拠点Ｄの処理を示すフローチャートである。
【図１７】図１７は、実施の形態１における拠点Ｅの処理を示すフローチャートである。
【図１８】図１８は、実施の形態１におけるＲＴＰパケットのデータ構造図である。
【図１９】図１９は、実施の形態１におけるＩＰパケットのデータ構造図である。
【図２０】図２０は、実施の形態１における引き継ぎ情報のデータ構造図である。
【図２１】図２１は、実施の形態１における引き継ぎ情報のデータ構造図である。
【図２２】図２２は、実施の形態１における引き継ぎ情報のデータ構造図である。
【図２３】図２３は、実施の形態１におけるサーバ情報のデータ構造図である。
【図２４】図２４は、実施の形態１におけるサーバ情報のデータ構造図である。
【図２５】図２５は、実施の形態１におけるサーバ情報のデータ構造図である。
【図２６】図２６は、実施の形態１における拠点Ａの引き継ぎ選択画面を示す図である。
【図２７】図２７は、実施の形態１における引き継ぎ中の拠点Ｂの表示画面を示す図である。
【図２８】図２８は、実施の形態１における引き継ぎ後の拠点Ｂの表示画面を示す図である。
【図２９】図２９は、実施の形態１における表示画面の遷移を示す図である。
【図３０】図３０は、実施の形態１の変形例における引き継ぎ処理を示すシーケンス図である。
【図３１】図３１は、実施の形態１の変形例における引き継ぎ処理を示すシーケンス図である。
【図３２】図３２は、実施の形態１の変形例における表示画面の遷移を示す図である。
【図３３】図３３は、実施の形態２におけるテレビ会議システムの概要図である。
【図３４】図３４は、実施の形態２における引き継ぎ前の拠点Ａの表示画面を示す図である。
【図３５】図３５は、実施の形態２における拠点Ａのテレビ会議装置の構成図である。
【図３６】図３６は、実施の形態２における拠点Ｂ、拠点Ｃおよび拠点Ｄのテレビ会議装置の構成図である。
【図３７】図３７は、実施の形態２における拠点Ｅのテレビ会議装置の構成図である。
【図３８】図３８は、実施の形態２における引き継ぎ処理を示すシーケンス図である。
【図３９】図３９は、実施の形態２における拠点Ａの処理を示すフローチャートである。
【図４０】図４０は、実施の形態２における拠点Ａの処理を示すフローチャートである。
【図４１】図４１は、実施の形態２における拠点Ｂ、拠点Ｃおよび拠点Ｄの処理を示すフローチャートである。
【図４２】図４２は、実施の形態２における拠点Ｅの処理を示すフローチャートである。
【図４３】図４３は、実施の形態２における引き継ぎ直後の拠点Ｅの表示画面を示す図である。
【図４４】図４４は、実施の形態３におけるテレビ会議システムの概要図である。
【図４５】図４５は、実施の形態３における拠点Ａのテレビ会議装置の構成図である。
【図４６】図４６は、実施の形態３における拠点Ｂのテレビ会議装置の構成図である。
【図４７】図４７は、実施の形態３における拠点Ｅのテレビ会議装置の構成図である。
【図４８】図４８は、実施の形態３における引き継ぎ処理を示すシーケンス図である。
【図４９】図４９は、実施の形態３における拠点Ａの処理を示すフローチャートである。
【図５０】図５０は、実施の形態３における拠点Ｂの処理を示すフローチャートである。
【図５１】図５１は、実施の形態３における拠点Ｅの処理を示すフローチャートである。
【図５２】図５２は、実施の形態４におけるテレビ会議システムの概要図である。
【図５３】図５３は、実施の形態４における拠点Ａのテレビ会議装置の構成図である。
【図５４】図５４は、実施の形態４における拠点Ｂのテレビ会議装置の構成図である。
【図５５】図５５は、実施の形態４における拠点Ｅのテレビ会議装置の構成図である。
【図５６】図５６は、実施の形態４における引き継ぎ処理を示すシーケンス図である。
【図５７】図５７は、実施の形態４における拠点Ａの処理を示すフローチャートである。
【図５８】図５８は、実施の形態４における拠点Ｂの処理を示すフローチャートである。
【図５９】図５９は、実施の形態４における拠点Ｅの処理を示すフローチャートである。
【図６０】図６０は、実施の形態４における引き継ぎ情報のデータ構造図である。
【図６１】図６１は、実施の形態５におけるテレビ会議システムの構成図である。
【図６２】図６２は、実施の形態５におけるテレビ会議システムの処理を示すフローチャートである。
【発明を実施するための形態】
【００４４】
（実施の形態１）
まず、本発明の実施の形態１について図面を用いて説明する。
【００４５】
実施の形態１におけるテレビ会議システムは、拠点Ａにおけるテレビ会議を行うための設定を拠点Ｅへ引き継ぎ、テレビ会議を継続して行う。
【００４６】
図１は、実施の形態１におけるテレビ会議システムの概要図である。図１には、東京の拠点Ａ、名古屋の拠点Ｂ、福岡の拠点Ｄおよび大阪の拠点Ｃにおいて、テレビ会議が行われている例が示されている。また、図１に示す通り、実施の形態１では、拠点Ａにいるテレビ会議のユーザが拠点Ｅに移動した後、継続してテレビ会議を利用する場合を想定している。
【００４７】
拠点Ａには、テレビ会議装置１１００がある。拠点Ｂには、テレビ会議装置１２００がある。拠点Ｃおよび拠点Ｄには、それぞれテレビ会議装置１４００がある。そして、拠点Ｅには、テレビ会議装置１３００がある。さらに、それらのテレビ会議装置は、ネットワークを介して相互に接続されている。
【００４８】
テレビ会議装置１１００は、画像入力部１１０１、音声入力部１１０２、画像出力部１１２０および音声出力部１１２１等を備える。テレビ会議装置１２００は、画像入力部１２０１、音声入力部１２０２、画像出力部１２２０および音声出力部１２２１等を備える。テレビ会議装置１４００は、画像入力部１４０１、音声入力部１４０２、画像出力部１４２０および音声出力部１４２１等を備える。そして、テレビ会議装置１３００は、画像入力部１３０１、音声入力部１３０２、画像出力部１３２０および音声出力部１３２１等を備える。
【００４９】
拠点Ａにいるテレビ会議のユーザが拠点Ｅに移動する際、拠点Ｅにあるテレビ会議装置１３００が、拠点Ａにあるテレビ会議装置１１００の設定を引き継ぐ。これにより、ユーザは、拠点Ｅでテレビ会議の利用を継続できる。
【００５０】
なお、以下では、拠点Ａ、拠点Ｂ、拠点Ｃ、拠点Ｄおよび拠点Ｅにおけるそれぞれのテレビ会議装置が行う動作について、それぞれ単に拠点Ａ、拠点Ｂ、拠点Ｃ、拠点Ｄおよび拠点Ｅが行う動作として記載する場合がある。また、テレビ会議システムにおいて用いられる動画データには、オーディオのデータが含まれる。
【００５１】
図２は、図１に示された実施の形態１における引き継ぎ処理の概念図である。まず、拠点Ａ、拠点Ｂ、拠点Ｃおよび拠点Ｄにおいてテレビ会議通信が行われている。次に、実施の形態１におけるテレビ会議システムは、テレビ会議通信をするための設定情報である引き継ぎ情報を拠点Ａから拠点Ｅに移動する。その後、拠点Ｅ、拠点Ｂ、拠点Ｃおよび拠点Ｄにおいてテレビ会議通信が行われる。
【００５２】
図３は、図１に示された実施の形態１における拠点Ａのテレビ会議装置の構成図である。
【００５３】
図３に示されたテレビ会議装置１１００は、画像入力部１１０１、音声入力部１１０２、符号化制御部１１０３、画像符号化部１１０４、音声符号化部１１０５、多重化部１１０６、出力パケット保存部１１０７、入力部１１０８、引き継ぎ情報生成部１１０９、サーバ部１１１０、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０、音声出力部１１２１および参加時間計測部１１２２を備える。
【００５４】
符号化制御部１１０３、画像符号化部１１０４、音声符号化部１１０５、多重化部１１０６、出力パケット保存部１１０７、引き継ぎ情報生成部１１０９、サーバ部１１１０、接続拠点管理部１１１３、入力パケット保存部１１１４、多重化分離部１１１５、画像復号化部１１１６、音声復号化部１１１７、画像出力制御部１１１８、音声出力制御部１１１９および参加時間計測部１１２２は、ＬＳＩ（Ｌａｒｇｅ  Ｓｃａｌｅ  Ｉｎｔｅｇｒａｔｉｏｎ）１１５０によって実現されるものとしてもよい。
【００５５】
画像入力部１１０１は、カメラで撮影した画像をビデオ入力信号に変換する。
【００５６】
画像符号化部１１０４は、符号化制御部１１０３が設定する符号化条件に従い、例えば、画像入力部１１０１により得られたビデオ入力信号をＭＰＥＧ（Ｍｏｖｉｎｇ  Ｐｉｃｔｕｒｅ  Ｅｘｐｅｒｔｓ  Ｇｒｏｕｐ）−４  ＡＶＣ（Ａｄｖａｎｃｅｄ  Ｖｉｄｅｏ  Ｃｏｄｉｎｇ）／Ｈ．２６４で符号化し、ビデオ符号化ストリームを出力する。
【００５７】
音声入力部１１０２は、マイクから入力された音声をオーディオ入力信号に変換する。
【００５８】
音声符号化部１１０５は、符号化制御部１１０３が設定する符号化条件に従い、例えば、音声入力部１１０２により得られたオーディオ入力信号をＭＰＥＧ−４  ＡＡＣ（Ａｄｖａｎｃｅｄ  Ａｕｄｉｏ  Ｃｏｄｉｎｇ）−ＬＤ（Ｌｏｗ  Ｄｅｌａｙ）で符号化し、オーディオ符号化ストリームを出力する。
【００５９】
多重化部１１０６は、画像符号化部１１０４により得られたビデオ符号化ストリームおよび音声符号化部１１０５により得られたオーディオ符号化ストリームをＲＴＰ（Ｒｅａｌ−ｔｉｍｅ  Ｔｒａｎｓｐｏｒｔ  Ｐｒｏｔｏｃｏｌ）パケットにして、出力する。ＲＴＰパケットのデータ構造は、例えば、図１８に示すデータ構造を用いてもよい。
【００６０】
出力パケット保存部１１０７は、多重化部１１０６により得られたＲＴＰパケットを保存する。
【００６１】
入力部１１０８は、リモートコントローラまたはキーボード等であり、接続先、引き継ぎ先および引き継ぎ要求の入力を受け付ける。
【００６２】
引き継ぎ情報生成部１１０９は、入力部１１０８が受け付けた引き継ぎ要求により、接続拠点管理部１１１３が管理する拠点のＩＰアドレス、符号化制御部１１０３が設定する解像度、ビットレート、フレームレート、および、参加時間計測部１１２２が計測する接続時間に基づいて、拠点Ｅに対する引き継ぎ情報を生成する。引き継ぎ情報のデータ構造は、例えば、図２０に示すデータ構造を用いてもよい。
【００６３】
また、引き継ぎ情報生成部１１０９は、サーバ機能がオンの状態の場合、すなわち、テレビ会議装置１１００がテレビ会議システムのサーバとして動作している場合、サーバ機能を他の拠点に引き継ぐために、サーバ変更を示すサーバ情報を生成する。また、引き継ぎ情報生成部１１０９は、サーバ機能がオフの状態の場合、すなわち、テレビ会議装置１１００がテレビ会議システムのサーバとして動作していない場合、サーバとして動作する別のテレビ会議装置に接続拠点変更を通知するために、接続拠点変更を示すサーバ情報を生成する。
【００６４】
サーバ部１１１０は、テレビ会議システムのサーバとして動作する。例えば、サーバ部１１１０は、各拠点からの接続に対し、テレビ会議への参加認証を行う。また、サーバ部１１１０は、テレビ会議に参加可能な拠点のＩＰアドレス、現在接続している拠点の数およびＩＰアドレス等からなるサーバ情報を管理する。
【００６５】
また、サーバ部１１１０は、ネットワーク受信部１１１２が受信した接続拠点変更を示すサーバ情報に基づいて、サーバ情報を更新する。さらに、この場合、接続拠点管理部１１１３に接続拠点変更の情報を出力し、また、ネットワーク送信部１１１１を介して、他の拠点へ接続拠点変更通知を送信する。
【００６６】
なお、サーバ部１１１０は、サーバ機能がオンの状態の場合、すなわち、テレビ会議装置１１００がテレビ会議システムのサーバとして動作している場合に動作する。一方、サーバ部１１１０は、サーバ機能がオフの状態の場合、すなわち、テレビ会議装置１１００がテレビ会議システムのサーバとして動作していない場合、動作しない。
【００６７】
また、サーバ機能のオンとオフは、切り替え可能である。例えば、サーバ機能がオフの場合に、ネットワーク受信部１１１２からサーバ変更を示すサーバ情報を受けることにより、サーバ機能がオンとなり、サーバ部１１１０は動作を開始する。
【００６８】
ネットワーク送信部１１１１は、サーバ部１１１０が生成した接続拠点変更通知、引き継ぎ情報生成部１１０９が生成した引き継ぎ情報およびサーバ情報をネットワークに送信する。また、ネットワーク送信部１１１１は、出力パケット保存部１１０７に保存されたＲＴＰパケットをＩＰパケット化して、接続拠点管理部１１１３で管理されている拠点にネットワークを介して送信する。
【００６９】
ネットワーク受信部１１１２は、ネットワークを介して、他の拠点からのデータを受信する。そして、受信したデータがビデオまたはオーディオのデータであれば、ＩＰパケットからＵＤＰ（Ｕｓｅｒ  Ｄａｔａｇｒａｍ  Ｐｒｏｔｏｃｏｌ）パケットを取り出し、さらにＲＴＰパケットの抽出を行い、入力パケット保存部１１１４に出力する。また、拠点Ｂ、拠点Ｃおよび拠点Ｄからの接続拠点変更を示すサーバ情報を受信した場合、サーバ部１１１０に出力する。また、サーバとして動作する他のテレビ会議装置から接続拠点変更通知を受信した場合、接続拠点管理部１１１３に出力する。
【００７０】
接続拠点管理部１１１３は、テレビ会議通信を行う接続拠点の情報を管理する。そして、管理された接続拠点の情報に基づいて、テレビ会議通信の接続先を制御する。また、接続拠点管理部１１１３は、サーバ部１１１０またはネットワーク受信部１１１２から接続拠点変更の情報を受けて、接続拠点の情報を変更する。
【００７１】
入力パケット保存部１１１４は、ネットワーク受信部１１１２により受信されたＲＴＰパケットを保存する。
【００７２】
多重化分離部１１１５は、入力パケット保存部１１１４からＲＴＰパケットを読み出す。さらに、ＲＴＰパケットのＲＴＰヘッダを解析する。そして、符号化されたデータのタイプを示すペイロードタイプ（ＰＴ）がビデオの場合、多重化分離部１１１５は、符号化されたデータであるＲＴＰペイロードからビデオ符号化ストリームを抽出し、画像復号化部１１１６に出力する。一方、ペイロードタイプ（ＰＴ）がオーディオの場合、多重化分離部１１１５は、ＲＴＰペイロードからオーディオ符号化ストリームを抽出し、音声復号化部１１１７に出力を行う。
【００７３】
画像復号化部１１１６は、多重化分離部１１１５により得られたビデオ符号化ストリームを復号化し、ビデオデータを画像出力制御部１１１８に出力する。
【００７４】
画像出力制御部１１１８は、ＲＴＰヘッダに書かれたタイムスタンプに基づくタイミングで、復号化されたビデオデータを表示するように画像出力部１１２０を制御する。また、設定された画面構成で表示するように画像出力部１１２０を制御する。さらに、必要に応じて、参加時間計測部１１２２により計測されたテレビ会議への参加時間を表示するように画像出力部１１２０を制御する。
【００７５】
画像出力部１１２０は、例えば、画面またはディスプレイ装置であって、画像出力制御部１１１８の制御に基づいて、画像を表示する。
【００７６】
音声復号化部１１１７は、多重化分離部１１１５により得られたオーディオ符号化ストリームを復号化し、オーディオデータを音声出力制御部１１１９に出力する。
【００７７】
音声出力制御部１１１９は、ＲＴＰヘッダに書かれたタイムスタンプに基づくタイミングで、復号化されたオーディオデータを音声として出力するように音声出力部１１２１を制御する。
【００７８】
音声出力部１１２１は、例えば、スピーカであって、音声出力制御部１１１９の制御に基づいて、オーディオデータを音声として出力する。
【００７９】
参加時間計測部１１２２は、最初の拠点との接続が確定した時間からの経過時間を計測する。また、参加時間計測部１１２２は、拠点Ａにおいてテレビ会議の利用が開始した時間からの経過時間を計測してもよい。そして、計測された時間は、必要に応じて、画像出力制御部１１１８を介して、画像出力部１１２０に表示される。
【００８０】
図４は、図１に示された実施の形態１における拠点Ｂのテレビ会議装置の構成図である。
【００８１】
図４に示されたテレビ会議装置１２００は、画像入力部１２０１、音声入力部１２０２、符号化制御部１２０３、画像符号化部１２０４、音声符号化部１２０５、多重化部１２０６、出力パケット保存部１２０７、サーバ部１２１０、ネットワーク送信部１２１１、ネットワーク受信部１２１２、接続拠点管理部１２１３、入力パケット保存部１２１４、多重化分離部１２１５、画像復号化部１２１６、音声復号化部１２１７、画像出力制御部１２１８、音声出力制御部１２１９、画像出力部１２２０、音声出力部１２２１、引き継ぎ表示設定部１２２３および引き継ぎ情報保存部１２２５を備える。
【００８２】
符号化制御部１２０３、画像符号化部１２０４、音声符号化部１２０５、多重化部１２０６、出力パケット保存部１２０７、サーバ部１２１０、接続拠点管理部１２１３、入力パケット保存部１２１４、多重化分離部１２１５、画像復号化部１２１６、音声復号化部１２１７、画像出力制御部１２１８、音声出力制御部１２１９、引き継ぎ表示設定部１２２３および引き継ぎ情報保存部１２２５は、ＬＳＩ１２５０によって実現されるものとしてもよい。
【００８３】
テレビ会議装置１２００の画像入力部１２０１、音声入力部１２０２、符号化制御部１２０３、画像符号化部１２０４、音声符号化部１２０５、多重化部１２０６、出力パケット保存部１２０７、サーバ部１２１０、ネットワーク送信部１２１１、ネットワーク受信部１２１２、接続拠点管理部１２１３、入力パケット保存部１２１４、多重化分離部１２１５、画像復号化部１２１６、音声復号化部１２１７、画像出力制御部１２１８、音声出力制御部１２１９、画像出力部１２２０および音声出力部１２２１は、図３に示されたテレビ会議装置１１００の画像入力部１１０１、音声入力部１１０２、符号化制御部１１０３、画像符号化部１１０４、音声符号化部１１０５、多重化部１１０６、出力パケット保存部１１０７、サーバ部１１１０、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０および音声出力部１１２１と同様の動作をする。
【００８４】
さらに、ネットワーク受信部１２１２は、他の拠点へ転送する引き継ぎ情報であれば、引き継ぎ情報保存部１２２５に出力する。
【００８５】
また、引き継ぎ情報保存部１２２５は、他の拠点、例えば、拠点Ｅへ転送する引き継ぎ情報を保存する。そして、拠点Ｅへの接続が可能となった場合に、引き継ぎ情報保存部１２２５は、ネットワーク送信部１２１１を介して、保存された引き継ぎ情報を拠点Ｅへ送信する。
【００８６】
また、引き継ぎ表示設定部１２２３は、接続拠点管理部１２１３により管理されている接続拠点の変更情報を取得する。そして、画像出力制御部１２１８に対して、引き継ぎ元の拠点である拠点Ａの表示箇所に引き継ぎ中であることを示す引き継ぎ画面表示指示を出力する。
【００８７】
また、画像出力制御部１２１８は、引き継ぎ表示設定部１２２３からの引き継ぎ画面表示指示により、図２７に示す画面のように、画面レイアウトを維持したまま拠点Ａの表示箇所に「引き継ぎ中」と表示するように画像出力部１２２０を制御する。さらに、拠点Ｅとのテレビ会議通信が開始した後、画像出力制御部１２１８は、図２８に示す画面のように、拠点Ａの表示箇所に拠点Ｅの表示をするように画像出力部１２２０を制御する。
【００８８】
また、テレビ会議装置１２００は、認証情報入力部１２２６を備えてもよい。認証情報入力部１２２６は、拠点Ｅのテレビ会議への参加を認証する情報を入力するためのインタフェース部である。
【００８９】
例えば、拠点Ｂのユーザは、引き継ぎ先である拠点Ｅからの画像を確認した後、認証情報入力部１２２６を介して、拠点Ｅのテレビ会議への参加を認証する情報を入力する。ネットワーク送信部１２１１は、認証されるまで、拠点Ｅへ拠点Ｂの映像を送信せず、認証された後、拠点Ｅへ拠点Ｂの映像を送信する。また、ネットワーク送信部１２１１は、認証されるまで、拠点Ｅへ代替の画像を送信してもよい。これにより、セキュリティが確保される。
【００９０】
図５は、図１に示された実施の形態１における拠点Ｅのテレビ会議装置の構成図である。
【００９１】
図５に示されたテレビ会議装置１３００は、画像入力部１３０１、音声入力部１３０２、符号化制御部１３０３、画像符号化部１３０４、音声符号化部１３０５、多重化部１３０６、出力パケット保存部１３０７、ネットワーク送信部１３１１、ネットワーク受信部１３１２、接続拠点管理部１３１３、入力パケット保存部１３１４、多重化分離部１３１５、画像復号化部１３１６、音声復号化部１３１７、画像出力制御部１３１８、音声出力制御部１３１９、画像出力部１３２０、音声出力部１３２１、参加時間計測部１３２２および引き継ぎ設定部１３２４を備える。
【００９２】
符号化制御部１３０３、画像符号化部１３０４、音声符号化部１３０５、多重化部１３０６、出力パケット保存部１３０７、接続拠点管理部１３１３、入力パケット保存部１３１４、多重化分離部１３１５、画像復号化部１３１６、音声復号化部１３１７、画像出力制御部１３１８、音声出力制御部１３１９、参加時間計測部１３２２および引き継ぎ設定部１３２４は、ＬＳＩ１３５０によって実現されるものとしてもよい。
【００９３】
テレビ会議装置１３００の画像入力部１３０１、音声入力部１３０２、符号化制御部１３０３、画像符号化部１３０４、音声符号化部１３０５、多重化部１３０６、出力パケット保存部１３０７、ネットワーク送信部１３１１、ネットワーク受信部１３１２、接続拠点管理部１３１３、入力パケット保存部１３１４、多重化分離部１３１５、画像復号化部１３１６、音声復号化部１３１７、画像出力制御部１３１８、音声出力制御部１３１９、画像出力部１３２０、音声出力部１３２１および参加時間計測部１３２２は、図３に示されたテレビ会議装置１１００の画像入力部１１０１、音声入力部１１０２、符号化制御部１１０３、画像符号化部１１０４、音声符号化部１１０５、多重化部１１０６、出力パケット保存部１１０７、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０、音声出力部１１２１および参加時間計測部１１２２と同様の動作をする。
【００９４】
さらに、ネットワーク受信部１３１２は、ネットワークから受信したデータが拠点Ａからの引き継ぎ情報であれば、引き継ぎ設定部１３２４に出力する。
【００９５】
また、引き継ぎ設定部１３２４は、ネットワーク受信部１３１２が受信した引き継ぎ情報から、通信している拠点のＩＰアドレスを抽出し、接続拠点管理部１３１３に出力する。また、引き継ぎ情報から、解像度、ビットレートおよびフレームレートを抽出し、符号化制御部１３０３に出力する。また、引き継ぎ情報から接続時間を抽出し、参加時間計測部１３２２に出力する。さらに、引き継ぎ情報から画面構成を抽出し、画像出力制御部１３１８に出力する。
【００９６】
また、参加時間計測部１３２２は、引き継ぎ設定部１３２４により得られた接続時間を初期値として、テレビ会議への参加時間を計測する。
【００９７】
また、画像出力制御部１３１８は、引き継ぎ設定部１３２４により得られた画面構成に従い、各拠点からの動画データを表示するように画像出力部１３２０を制御する。
【００９８】
図６は、図１に示された実施の形態１における拠点Ｃおよび拠点Ｄのテレビ会議装置の構成図である。
【００９９】
図６に示されたテレビ会議装置１４００は、画像入力部１４０１、音声入力部１４０２、符号化制御部１４０３、画像符号化部１４０４、音声符号化部１４０５、多重化部１４０６、出力パケット保存部１４０７、ネットワーク送信部１４１１、ネットワーク受信部１４１２、接続拠点管理部１４１３、入力パケット保存部１４１４、多重化分離部１４１５、画像復号化部１４１６、音声復号化部１４１７、画像出力制御部１４１８、音声出力制御部１４１９、画像出力部１４２０、音声出力部１４２１および引き継ぎ表示設定部１４２３を備える。
【０１００】
符号化制御部１４０３、画像符号化部１４０４、音声符号化部１４０５、多重化部１４０６、出力パケット保存部１４０７、接続拠点管理部１４１３、入力パケット保存部１４１４、多重化分離部１４１５、画像復号化部１４１６、音声復号化部１４１７、画像出力制御部１４１８、音声出力制御部１４１９および引き継ぎ表示設定部１４２３は、ＬＳＩ１４５０によって実現されるものとしてもよい。
【０１０１】
テレビ会議装置１４００の画像入力部１４０１、音声入力部１４０２、符号化制御部１４０３、画像符号化部１４０４、音声符号化部１４０５、多重化部１４０６、出力パケット保存部１４０７、ネットワーク送信部１４１１、ネットワーク受信部１４１２、接続拠点管理部１４１３、入力パケット保存部１４１４、多重化分離部１４１５、画像復号化部１４１６、音声復号化部１４１７、画像出力制御部１４１８、音声出力制御部１４１９、画像出力部１４２０、音声出力部１４２１および引き継ぎ表示設定部１４２３は、図４に示されたテレビ会議装置１２００の画像入力部１２０１、音声入力部１２０２、符号化制御部１２０３、画像符号化部１２０４、音声符号化部１２０５、多重化部１２０６、出力パケット保存部１２０７、ネットワーク送信部１２１１、ネットワーク受信部１２１２、接続拠点管理部１２１３、入力パケット保存部１２１４、多重化分離部１２１５、画像復号化部１２１６、音声復号化部１２１７、画像出力制御部１２１８、音声出力制御部１２１９、画像出力部１２２０、音声出力部１２２１および引き継ぎ表示設定部１２２３と同様の動作をする。
【０１０２】
さらに、ネットワーク受信部１４１２は、拠点Ｂからの接続拠点変更通知を接続拠点管理部１４１３に出力する。
【０１０３】
また、接続拠点管理部１４１３は、ネットワーク受信部１４１２が受信した接続拠点変更通知に基づいて、接続拠点の情報を変更する。
【０１０４】
また、テレビ会議装置１４００は、認証情報入力部１４２６を備えてもよい。認証情報入力部１４２６は、拠点Ｅのテレビ会議への参加を認証する情報を入力するためのインタフェース部である。
【０１０５】
例えば、拠点Ｃまたは拠点Ｄのユーザは、引き継ぎ先である拠点Ｅからの画像を確認した後、認証情報入力部１４２６を介して、拠点Ｅのテレビ会議への参加を認証する情報を入力する。ネットワーク送信部１４１１は、認証されるまで、拠点Ｅへ拠点Ｃまたは拠点Ｄの映像を送信せず、認証された後、拠点Ｅへ拠点Ｃまたは拠点Ｄの映像を送信する。また、ネットワーク送信部１４１１は、認証されるまで、拠点Ｅへ代替の画像を送信してもよい。これにより、セキュリティが確保される。
【０１０６】
以上が、実施の形態１における各拠点に配置されたテレビ会議装置の構成である。なお、実施の形態１においては、拠点Ａまたは拠点Ｂがテレビ会議システムのサーバとして動作している状態を想定している。また、実施の形態１においては、引き継ぎ先の拠点Ｅの電源がオンまたはオフである状態を想定している。
【０１０７】
次に、以上のように構成されたテレビ会議装置における引き継ぎ動作について説明する。
【０１０８】
実施の形態１における動作は、拠点Ｂ、拠点Ｃおよび拠点Ｄとのテレビ会議通信をしている拠点Ａが、拠点Ｅにテレビ会議通信を引き継ぎ、拠点Ｅがテレビ会議通信を継続する場合の動作を想定している。
【０１０９】
ここで、拠点Ａは、拠点Ｂ、拠点Ｃおよび拠点Ｄとのテレビ会議通信を開始するとき、次のように処理を行う。拠点Ａは、テレビ会議の接続拠点となる拠点Ｂ、拠点Ｃおよび拠点Ｄを選択し、拠点Ｂ、拠点Ｃおよび拠点Ｄに対して接続を行う。拠点Ａのネットワーク受信部１１１２が、拠点Ｂ、拠点Ｃおよび拠点Ｄからの接続確認を受信した後、サーバ部１１１０に前記接続確認を通知する。サーバ部１１１０は、前記接続確認を受け、テレビ会議への接続拠点の管理を行いサーバとして動作をする。また、サーバ部１１１０は、接続拠点を認証するための鍵情報の管理を行う。
【０１１０】
なお、拠点Ａの代わりに、拠点Ｂが上記と同様の動作をすることで、拠点Ｂがテレビ会議システムのサーバとして動作する場合もある。
【０１１１】
図７は、図１に示された実施の形態１において、拠点Ａから拠点Ｅへの引き継ぎ処理を示すシーケンス図である。図７で示された引き継ぎ処理では、拠点Ｅが電源オンの状態であり（Ｓ１１０１）、拠点Ｂがサーバ機能オンの状態である（Ｓ１１０２）ことを前提としている。
【０１１２】
この場合、まず、拠点Ａは、引き継ぎ情報を拠点Ｅに送信する（Ｓ１１０３）。
【０１１３】
次に、拠点Ａは、接続拠点変更を示すサーバ情報を拠点Ｂに送信する（Ｓ１１０４）。
【０１１４】
次に、拠点Ｂは、各拠点に引き継ぎ元の拠点である拠点Ａとの接続を切断させるために、各拠点に切断要求を送信する（Ｓ１１０５）。これにより、拠点Ａとの接続が、切断される。
【０１１５】
次に、拠点Ｅは、拠点Ｂに接続要求を送信する（Ｓ１１０６）。
【０１１６】
次に、拠点Ｂは、拠点Ｅのテレビ会議への参加を認証する（Ｓ１１０７）。このとき、拠点Ｂは、拠点Ａから受信した拠点Ｅを特定するための情報と、接続要求を送信した拠点Ｅとが一致するか否かにより、拠点Ｅのテレビ会議への参加を認証するか否かを判定する。拠点Ｅを特定するための情報は、ＩＰアドレス、ＭＡＣアドレス、電話番号、または、テレビ会議装置のシリアル番号等である。
【０１１７】
さらに、このとき、拠点Ｂは、拠点Ｅのテレビ会議装置が、拠点Ａのテレビ会議装置に対応している機器であるか否か、または、拠点Ｅのテレビ会議装置が、拠点Ａのテレビ会議装置と互換性を有する機器であるか否かを確認してもよい。そして、拠点Ｅを特定するための情報が一致する場合であって、拠点Ｅのテレビ会議装置が、拠点Ａのテレビ会議装置に対応している機器である場合、または、拠点Ｅのテレビ会議装置が、拠点Ａのテレビ会議装置と互換性を有する機器である場合に、拠点Ｂは、拠点Ｅの参加を認証してもよい。
【０１１８】
次に、拠点Ｂは、拠点Ｅと接続する。そして、拠点Ｂは、拠点Ｃおよび拠点Ｄに拠点Ｅとの接続要求を送信する。これにより、拠点Ｃおよび拠点Ｄは、拠点Ｅと接続する（Ｓ１１０８）。
【０１１９】
次に、拠点Ｂ、拠点Ｃおよび拠点Ｄは、拠点Ｅとの通信を開始する（Ｓ１１０９）。
【０１２０】
これによって、拠点Ｅがテレビ会議通信を引き継ぐ。
【０１２１】
図８は、図７と同様に、拠点Ａから拠点Ｅへの引き継ぎ処理を示すシーケンス図である。図８で示された引き継ぎ処理では、拠点Ｅが電源オフの状態であり（Ｓ１２０１）、拠点Ｂがサーバ機能オンの状態である（Ｓ１２０２）ことを前提としている。
【０１２２】
この場合、まず、拠点Ａは、引き継ぎ情報を拠点Ｂに送信する（Ｓ１２０３）。
【０１２３】
次に、拠点Ａは、接続拠点変更を示すサーバ情報を拠点Ｂに送信する（Ｓ１２０４）。
【０１２４】
次に、拠点Ｂは、各拠点に引き継ぎ元の拠点である拠点Ａとの接続を切断させるために、各拠点に切断要求を送信する（Ｓ１２０５）。これにより、拠点Ａとの接続が、切断される。
【０１２５】
次に、拠点Ｅは、電源オンの状態となる（Ｓ１２０６）。
【０１２６】
次に、拠点Ｅは、拠点Ｂに接続要求を送信する（Ｓ１２０７）。
【０１２７】
次に、拠点Ｂは、図７に示した例と同様に、拠点Ｅのテレビ会議への参加を認証する（Ｓ１２０８）。
【０１２８】
次に、拠点Ｂは、拠点Ｅと接続する。そして、拠点Ｂは、拠点Ｃおよび拠点Ｄに拠点Ｅとの接続要求を送信する。これにより、拠点Ｃおよび拠点Ｄは、拠点Ｅと接続する（Ｓ１２０９）。
【０１２９】
次に、拠点Ｂは、引き継ぎ情報を拠点Ｅに送信する（Ｓ１２１０）。
【０１３０】
次に、拠点Ｂ、拠点Ｃおよび拠点Ｄは、拠点Ｅとの通信を開始する（Ｓ１２１１）。
【０１３１】
これによって、拠点Ｅが電源オフの状態であっても、拠点Ｅが電源オンになった後に、引き継ぎ情報を受け取ることができる。
【０１３２】
図９は、図７と同様に、拠点Ａから拠点Ｅへの引き継ぎ処理を示すシーケンス図である。また、図９で示された引き継ぎ処理では、図８と同様に、拠点Ｅが電源オフの状態であり（Ｓ１２０１）、拠点Ｂがサーバ機能オンの状態である（Ｓ１２０２）ことを前提としている。そして、図９では、拠点Ｅからの接続要求が遅延した場合が示されている。
【０１３３】
まず、拠点Ａは、引き継ぎ情報を拠点Ｂに送信する（Ｓ１２０３）。
【０１３４】
次に、拠点Ａは、接続拠点変更を示すサーバ情報を拠点Ｂに送信する（Ｓ１２０４）。
【０１３５】
次に、拠点Ｂは、各拠点に引き継ぎ元の拠点である拠点Ａとの接続を切断させるために、各拠点に切断要求を送信する（Ｓ１２０５）。拠点Ａとの接続は、切断される。ここまで、図９に示された例は、図８に示された例と同様である。
【０１３６】
図９に示された例では、拠点Ｅから拠点Ｂへの接続要求が、制限時間を超過して、送信されている。
【０１３７】
拠点Ｂは、制限時間を超過した時、引き継ぎ情報を消去する（Ｓ１２２１）。
【０１３８】
次に、拠点Ｅは、電源オンの状態となる（Ｓ１２２２）。
【０１３９】
次に、拠点Ｅは、拠点Ｂに接続要求を送信する（Ｓ１２２３）。
【０１４０】
次に、拠点Ｂは、接続を拒否する（Ｓ１２２４）。
【０１４１】
つまり、セキュリティ確保のため、制限時間を超過した場合、拠点Ｂは、拠点Ｅの参加を認証しない。そして、引き継ぎ情報は、セキュリティ確保のために、消去される。
【０１４２】
図１０は、図７と同様に、拠点Ａから拠点Ｅへの引き継ぎ処理を示すシーケンス図である。図１０で示された引き継ぎ処理では、拠点Ｅが電源オンの状態であり（Ｓ１３０１）、拠点Ａがサーバ機能オンの状態である（Ｓ１３０２）ことを前提としている。
【０１４３】
この場合、まず、拠点Ａは、引き継ぎ情報を拠点Ｅに送信する（Ｓ１３０３）。
【０１４４】
次に、拠点Ａは、サーバ変更および接続拠点変更を示すサーバ情報を拠点Ｂに送信する（Ｓ１３０４）。
【０１４５】
次に、拠点Ｂは、サーバ機能オンの状態となる（Ｓ１３０５）。
【０１４６】
次に、拠点Ａは、サーバ機能オフの状態となる（Ｓ１３０６）。
【０１４７】
次に、拠点Ｂは、各拠点に引き継ぎ元の拠点である拠点Ａとの接続を切断させるために、各拠点に切断要求を送信する（Ｓ１３０７）。これにより、拠点Ａとの接続が、切断される。
【０１４８】
次に、拠点Ｅは、拠点Ｂに接続要求を送信する（Ｓ１３０８）。
【０１４９】
次に、拠点Ｂは、図７の例と同様に、拠点Ｅのテレビ会議への参加を認証する（Ｓ１３０９）。
【０１５０】
次に、拠点Ｂは、拠点Ｅと接続する。そして、拠点Ｂは、拠点Ｃおよび拠点Ｄに拠点Ｅとの接続要求を送信する。これにより、拠点Ｃおよび拠点Ｄは、拠点Ｅと接続する（Ｓ１３１０）。
【０１５１】
次に、拠点Ｂ、拠点Ｃおよび拠点Ｄは、拠点Ｅとの通信を開始する（Ｓ１３１１）。
【０１５２】
これによって、拠点Ａがサーバとして動作している場合でも、拠点Ａは、サーバとしての動作を拠点Ｂに引き継ぎ、画面構成等の設定を拠点Ｅに引き継ぐことができる。
【０１５３】
図１１は、図７と同様に、拠点Ａから拠点Ｅへの引き継ぎ処理を示すシーケンス図である。図１１で示された引き継ぎ処理では、拠点Ｅが電源オフの状態であり（Ｓ１４０１）、拠点Ａがサーバ機能オンの状態である（Ｓ１４０２）ことを前提としている。
【０１５４】
この場合、まず、拠点Ａは、引き継ぎ情報を拠点Ｂに送信する（Ｓ１４０３）。
【０１５５】
次に、拠点Ａは、サーバ変更および接続拠点変更を示すサーバ情報を拠点Ｂに送信する（Ｓ１４０４）。
【０１５６】
次に、拠点Ｂは、サーバ機能オンの状態となる（Ｓ１４０５）。
【０１５７】
次に、拠点Ａは、サーバ機能オフの状態となる（Ｓ１４０６）。
【０１５８】
次に、拠点Ｂは、各拠点に引き継ぎ元の拠点である拠点Ａとの接続を切断させるために、各拠点に切断要求を送信する（Ｓ１４０７）。これにより、拠点Ａとの接続が、切断される。
【０１５９】
次に、拠点Ｅは、電源オンの状態となる（Ｓ１４０８）。
【０１６０】
次に、拠点Ｅは、拠点Ｂに接続要求を送信する（Ｓ１４０９）。
【０１６１】
次に、拠点Ｂは、図７に示した例と同様に、拠点Ｅのテレビ会議への参加を認証する（Ｓ１４１０）。
【０１６２】
次に、拠点Ｂは、拠点Ｅと接続する。そして、拠点Ｂは、拠点Ｃおよび拠点Ｄに拠点Ｅとの接続要求を送信する。これにより、拠点Ｃおよび拠点Ｄは、拠点Ｅと接続する（Ｓ１４１１）。
【０１６３】
次に、拠点Ｂは、引き継ぎ情報を拠点Ｅに送信する（Ｓ１４１２）。
【０１６４】
次に、拠点Ｂ、拠点Ｃおよび拠点Ｄは、拠点Ｅとの通信を開始する（Ｓ１４１３）。
【０１６５】
これによって、拠点Ｅが電源オフの状態であって、拠点Ａがサーバとして動作している場合でも、テレビ会議システムは、引き継ぎ処理を行うことができる。
【０１６６】
図１２および図１３は、図１に示された実施の形態１における拠点Ａの処理を示すフローチャートである。
【０１６７】
まず、テレビ会議中の拠点Ａにおいて、入力部１１０８は、テレビ会議の引き継ぎボタン押下を受け付ける（Ｓ１５０１）。
【０１６８】
次に、画像出力制御部１１１８は、図２６に示す画面を表示するように画像出力部１１２０を制御する。入力部１１０８は、拠点Ｅへテレビ会議の引き継ぎを行うため、引き継ぎ先である拠点ＥのＩＰアドレスの入力を受け付ける（Ｓ１５０２）。また、引き継ぎ処理を行うか否かの選択を受け付ける。
【０１６９】
引き継ぎ情報生成部１１０９は、入力部１１０８が受け付けた情報を取得する。そして、引き継ぎ先である拠点Ｅが電源オンの状態であるかを判定する（Ｓ１５０３）。例えば、引き継ぎ情報生成部１１０９は、ネットワーク送信部１１１１を介して接続要求を拠点Ｅに送信し、拠点Ｅから応答があるかにより、電源オンの状態であるかを判定する。
【０１７０】
ここで、引き継ぎ先が電源オンの場合（Ｓ１５０３でＹｅｓ）、引き継ぎ情報生成部１１０９は、図２２に示す転送の必要なしとする引き継ぎ情報を生成する（Ｓ１５０４）。
【０１７１】
一方、引き継ぎ先が電源オンではない場合（Ｓ１５０３でＮｏ）、引き継ぎ情報生成部１１０９は、図２１に示す転送の必要ありとする引き継ぎ情報を生成する（Ｓ１５０５）。
【０１７２】
ここで、引き継ぎ情報生成部１１０９は、接続拠点管理部１１１３が管理する拠点Ｂ、拠点Ｃおよび拠点ＤのＩＰアドレス、参加時間計測部１１２２が測定する接続時間、画像出力制御部１１１８が制御する画面構成から、図２１または図２２に示す引き継ぎ情報を生成する（Ｓ１５０４、Ｓ１５０５）。
【０１７３】
次に、引き継ぎ情報生成部１１０９は、サーバ部１１１０が動作しているか、すなわち、拠点Ａのサーバ機能がオンであるかを判定する（Ｓ１５０６）。
【０１７４】
ここで、拠点Ａのサーバ機能がオンである場合（Ｓ１５０６でＹｅｓ）、引き継ぎ情報生成部１１０９は、図２５に示すサーバ変更および接続拠点変更の情報を含むサーバ情報を生成する（Ｓ１５０７）。
【０１７５】
一方、拠点Ａのサーバ機能がオンでない場合（Ｓ１５０６でＮｏ）、引き継ぎ情報生成部１１０９は、図２４に示す接続拠点変更の情報を含むサーバ情報を生成する（Ｓ１５０８）。
【０１７６】
次に、引き継ぎ情報生成部１１０９は、ネットワーク送信部１１１１を介して、生成された引き継ぎ情報とサーバ情報を送信する（Ｓ１５０９）。
【０１７７】
ここで、引き継ぎ先である拠点Ｅの電源がオンであれば、引き継ぎ情報生成部１１０９は、ネットワーク送信部１１１１を介して、拠点Ｅに転送の必要なしとする引き継ぎ情報を送信する。一方、引き継ぎ先である拠点Ｅの電源がオンでなければ、例えば、引き継ぎ情報生成部１１０９は、ネットワーク送信部１１１１を介して、転送の必要ありとする引き継ぎ情報を拠点Ｂに送信する。
【０１７８】
また、拠点Ａのサーバ機能がオンであれば、引き継ぎ情報生成部１１０９は、ネットワーク送信部１１１１を介して、サーバ変更および接続拠点変更の情報を含むサーバ情報を拠点Ｂに送信する。なお、引き継ぎ情報生成部１１０９がサーバ変更の情報を含むサーバ情報を拠点Ｃまたは拠点Ｄに送信した場合、拠点Ｃまたは拠点Ｄがサーバとなる。
【０１７９】
一方、拠点Ａのサーバ機能がオンでなければ、引き継ぎ情報生成部１１０９は、ネットワーク送信部１１１１を介して、サーバとして動作する拠点Ｂに接続拠点変更の情報を含むサーバ情報を送信する。
【０１８０】
次に、拠点Ａのサーバ機能がオンであれば（Ｓ１５１０でＹｅｓ）、引き継ぎ情報生成部１１０９は、拠点Ａのサーバ機能をオフにする（Ｓ１５１１）。すなわち、サーバ部１１１０は、動作を停止する。
【０１８１】
次に、拠点Ａは、拠点Ｂからの切断要求を受けて、接続していた拠点との接続を切断する（Ｓ１５１２）。
【０１８２】
このようにして、拠点Ａは、引き継ぎ情報を送信し、拠点Ｂ、拠点Ｃおよび拠点Ｄとのテレビ会議通信を終了する。
【０１８３】
図１４および図１５は、図１に示された実施の形態１における拠点Ｂの処理を示すフローチャートである。
【０１８４】
まず、拠点Ｂのネットワーク受信部１２１２は、拠点Ａからサーバ情報または引き継ぎ情報を受信したかを判定する（Ｓ１６０１）。なお、ネットワーク受信部１２１２が引き継ぎ情報を受信した場合、引き継ぎ情報保存部１２２５は、引き継ぎ情報を保存する。
【０１８５】
ここで、ネットワーク受信部１２１２がサーバ情報または引き継ぎ情報を受信しなかった場合（Ｓ１６０１でＮｏ）、拠点Ｂの処理は終了する。
【０１８６】
一方、ネットワーク受信部１２１２がサーバ情報または引き継ぎ情報を受信した場合（Ｓ１６０１でＹｅｓ）、ネットワーク受信部１２１２は、受信した情報がサーバ変更を示す情報を含むかを判定する（Ｓ１６０２）。
【０１８７】
ここで、受信した情報が、図２５に示すサーバ情報、すなわち、サーバ変更を示す情報を含む場合（Ｓ１６０２でＹｅｓ）、サーバ部１２１０は、サーバ情報を管理する動作を開始する。すなわち、拠点Ｂのサーバ機能がオンとなる（Ｓ１６０３）。
【０１８８】
一方、受信した情報が、サーバ変更を示す情報を含まない場合（Ｓ１６０２でＮｏ）、拠点Ｂは、次の処理（Ｓ１６０４）を行う。なお、この場合は、既に拠点Ｂがサーバとして動作している場合である。
【０１８９】
次に、ネットワーク受信部１２１２は、受信した情報が接続拠点変更を示す情報を含むかを判定する（Ｓ１６０４）。そして、受信した情報が、接続拠点変更を示す情報を含まない場合（Ｓ１６０４でＮｏ）、拠点Ｂの処理は終了する。
【０１９０】
一方、受信した情報が、図２４または図２５に示すサーバ情報、すなわち、接続拠点変更を示す情報を含む場合（Ｓ１６０４でＹｅｓ）、サーバ部１２１０は、ネットワーク受信部１２１２が受信した情報を用いて、サーバ情報として管理されている接続拠点情報を更新する（Ｓ１６０５）。さらに、サーバ部１２１０は、拠点Ｃおよび拠点Ｄに対して、拠点Ａとの切断要求の通知を行う（Ｓ１６０６）。
【０１９１】
次に、接続拠点管理部１２１３は、サーバ部１２１０から接続拠点変更の情報を取得して、接続拠点情報を更新する。そして、接続拠点管理部１２１３は、ネットワーク送信部１２１１を介して、引き継ぎ元拠点である拠点Ａへ切断要求を送信する。これにより、引き継ぎ元拠点である拠点Ａとの接続を切断する（Ｓ１６０７）。
【０１９２】
次に、サーバ部１２１０は、経過時間が制限時間内であるか否かを判定する（Ｓ１６０８）。経過時間が制限時間を超過している場合（Ｓ１６０８でＮｏ）、拠点Ｂの処理は終了する。このとき、引き継ぎ情報が既に受信されていた場合（Ｓ１６１６でＹｅｓ）、引き継ぎ情報保存部１２２５は、引き継ぎ情報を消去する（Ｓ１６１７）。
【０１９３】
経過時間が制限時間内である場合（Ｓ１６０８でＹｅｓ）、サーバ部１２１０は、ネットワーク受信部１２１２が引き継ぎ先拠点である拠点Ｅからの接続要求を受信したか否かを判定する（Ｓ１６０９）。ネットワーク受信部１２１２が接続要求を受信していない場合（Ｓ１６０９でＮｏ）、再度、サーバ部１２１０は、経過時間が制限時間内であるか否かを判定する（Ｓ１６０８）。
【０１９４】
ネットワーク受信部１２１２が接続要求を受信した場合（Ｓ１６０９でＹｅｓ）、サーバ部１２１０は、拠点Ｅのテレビ会議への参加を認証する。このとき、サーバ部１２１０は、拠点Ａから受信した拠点Ｅを特定するための情報と、接続要求を送信した拠点Ｅとが一致するか否かにより、拠点Ｅのテレビ会議への参加を認証するか否かを判定する。拠点Ｅを特定するための情報は、ＩＰアドレス、ＭＡＣアドレス、電話番号、または、テレビ会議装置のシリアル番号等である。
【０１９５】
さらに、このとき、サーバ部１２１０は、拠点Ｅのテレビ会議装置が、拠点Ａのテレビ会議装置に対応している機器であるか否か、または、拠点Ｅのテレビ会議装置が、拠点Ａのテレビ会議装置と互換性を有する機器であるか否かを確認してもよい。そして、拠点Ｅを特定するための情報が一致する場合であって、拠点Ｅのテレビ会議装置が、拠点Ａのテレビ会議装置に対応している機器である場合、または、拠点Ｅのテレビ会議装置が、拠点Ａのテレビ会議装置と互換性を有する機器である場合に、サーバ部１２１０は、拠点Ｅの参加を認証してもよい。
【０１９６】
ここで、拠点Ｅが正しく認証されなかった場合（Ｓ１６１１でＮｏ）、再度、サーバ部１２１０は、経過時間が制限時間内であるか否かを判定する（Ｓ１６０８）。
【０１９７】
一方、拠点Ｅが正しく認証された場合（Ｓ１６１１でＹｅｓ）、拠点Ｂは、拠点Ｅと接続する（Ｓ１６１２）。
【０１９８】
次に、ネットワーク受信部１２１２は、受信した情報が引き継ぎ情報を含むかを判定する（Ｓ１６１３）。
【０１９９】
受信した情報が図２１に示す引き継ぎ情報、すなわち、引き継ぎ先拠点である拠点Ｅへ転送するための引き継ぎ情報を含む場合（Ｓ１６１３でＹｅｓ）、引き継ぎ情報保存部１２２５は、引き継ぎ先拠点である拠点Ｅへ、ネットワーク送信部１２１１を介して、引き継ぎ情報を送信する（Ｓ１６１４）。
【０２００】
次に、拠点Ｂは、引き継ぎ先拠点である拠点Ｅとのテレビ会議通信を開始する（Ｓ１６１５）。
【０２０１】
このようにして、拠点Ｂは、拠点Ａに代えて拠点Ｅとテレビ会議通信を行い、また、サーバとして動作する。
【０２０２】
図１６は、図１に示された実施の形態１における拠点Ｃおよび拠点Ｄの処理を示すフローチャートである。
【０２０３】
まず、ネットワーク受信部１４１２は、引き継ぎ元拠点である拠点Ａとの切断要求を受信したかを判定する（Ｓ１７０１）。
【０２０４】
ここで、ネットワーク受信部１４１２が切断要求を受信した場合（Ｓ１７０１でＹｅｓ）、拠点Ｃおよび拠点Ｄは、それぞれ、拠点Ａとの接続を切断する（Ｓ１７０２）。
【０２０５】
次に、ネットワーク受信部１４１２は、引き継ぎ先拠点である拠点Ｅとの接続要求を受信したかを判定する（Ｓ１７０３）。
【０２０６】
ここで、ネットワーク受信部１４１２が接続要求を受信した場合（Ｓ１７０３でＹｅｓ）、拠点Ｃおよび拠点Ｄは、それぞれ、拠点Ｅと接続する（Ｓ１７０４）。そして、拠点Ｃおよび拠点Ｄは、それぞれ、拠点Ｅとのテレビ会議通信を開始する（Ｓ１７０５）。
【０２０７】
このようにして、拠点Ｃおよび拠点Ｄは、拠点Ａに代えて拠点Ｅとテレビ会議通信を行う。
【０２０８】
図１７は、図１に示された実施の形態１における拠点Ｅの処理を示すフローチャートである。
【０２０９】
まず、拠点Ｅの電源が、オンであるか否かで処理が異なる（Ｓ１８０１）。
【０２１０】
拠点Ｅの電源がオンでなければ（Ｓ１８０１でＮｏ）、拠点Ｅの処理は終了する。
【０２１１】
一方、拠点Ｅの電源がオンであれば（Ｓ１８０１でＹｅｓ）、ネットワーク送信部１３１１は、サーバとして動作する拠点Ｂに接続要求を送信する（Ｓ１８０２）。そして、拠点Ｅの参加が認証される。
【０２１２】
ここで、参加が正常に認証されなかった場合（Ｓ１８０３でＮｏ）、拠点Ｅの処理は終了する。
【０２１３】
一方、参加が正常に認証された場合（Ｓ１８０３でＹｅｓ）、拠点Ｅは、各拠点と接続する（Ｓ１８０４）。
【０２１４】
次に、ネットワーク受信部１３１２は、拠点Ｂから引き継ぎ情報を受信する（Ｓ１８０５）。図１７に示された例では、拠点Ｅは、認証された後、拠点Ｂから引き継ぎ情報を取得しているが、認証される前に、拠点Ａから引き継ぎ情報を取得してもよい。
【０２１５】
次に、引き継ぎ設定部１３２４は、ネットワーク受信部１３１２が受信した引き継ぎ情報に基づいて、テレビ会議装置１３００の設定をする（Ｓ１８０６）。
【０２１６】
具体的には、引き継ぎ設定部１３２４は、引き継ぎ情報に含まれるビットレート、解像度およびフレームレートを符号化制御部１３０３に出力する。符号化制御部１３０３は、出力されたビットレート、解像度およびフレームレートに基づき、画像符号化部１３０４および音声符号化部１３０５の符号化条件を設定する。
【０２１７】
また、引き継ぎ設定部１３２４は、引き継ぎ情報に含まれる接続時間を参加時間計測部１３２２に出力する。参加時間計測部１３２２は、引き継ぎ設定部１３２４により得られた接続時間を初期値として、引き続き、接続時間を計測する。そして、画像出力制御部１３１８は、参加時間計測部１３２２が計測した接続時間を表示するように、画像出力部１３２０を制御する。
【０２１８】
また、引き継ぎ設定部１３２４は、引き継ぎ情報に含まれる画面構成を画像出力制御部１３１８に出力する。画像出力制御部１３１８は、引き継ぎ設定部１３２４が出力した画面構成を受け、当該画面構成で表示するように画像出力部１３２０を制御する。
【０２１９】
さらに、引き継ぎ設定部１３２４は、引き継ぎ情報に含まれる接続拠点の情報を接続拠点管理部１３１３に出力する。接続拠点管理部１３１３は、引き継ぎ設定部１３２４が出力した接続拠点の情報を受け、テレビ会議通信を行う接続拠点の情報を更新する。
【０２２０】
次に、拠点Ｅは、各拠点とのテレビ会議通信を開始する（Ｓ１８０７）。
【０２２１】
これにより、拠点Ｅは、拠点Ａにおける設定を引き継いで、テレビ会議通信を開始する。
【０２２２】
つまり、画像符号化部１３０４および音声符号化部１３０５は、拠点Ａと同様に設定された符号化制御部１３０３からの制御を受けて、符号化を行う。多重化部１３０６は、画像符号化部１３０４および音声符号化部１３０５が符号化したビデオ符号化ストリームおよびオーディオ符号化ストリームを、多重化し、ＲＴＰパケット化する。出力パケット保存部１３０７は、ＲＴＰパケット化されたパケットを保存する。ネットワーク送信部１３１１は、保存されたＲＴＰパケットを拠点Ｂ、拠点Ｃおよび拠点Ｄへ送信する。
【０２２３】
また、ネットワーク受信部１３１２は、拠点Ｂ、拠点Ｃおよび拠点Ｄからテレビ会議のデータを受信する。入力パケット保存部１３１４は、受信したデータをＲＴＰパケットとして保存する。多重化分離部１３１５は、保存されたＲＴＰパケットをビデオ符号化ストリームとオーディオ符号化ストリームに分離する。
【０２２４】
そして、画像復号化部１３１６および音声復号化部１３１７は、それぞれ、符号化されたストリームを復号化する。画像出力制御部１３１８および音声出力制御部１３１９は、それぞれ、復号化されたデータを出力するように画像出力部１３２０および音声出力部１３２１を制御する。
【０２２５】
以上のように、拠点Ｅは、拠点Ａにおいてテレビ会議を行っていた拠点とテレビ会議通信を継続する。このとき、引き継ぎ設定部１３２４が、拠点Ａにおける設定を拠点Ｅに反映しているため、拠点Ｅは、拠点Ａと同様の設定に基づいてテレビ会議通信が可能となる。
【０２２６】
図１８は、図１に示された実施の形態１におけるＲＴＰパケットのデータ構造を示す図である。図１８に示されるように、ＲＴＰパケットは、ＲＴＰヘッダ、および、符号データであるＲＴＰペイロードからなる。
【０２２７】
そして、ＲＴＰヘッダは、ＲＴＰのバージョン情報を示すバージョン（Ｖ）、パディング・データの有無を示すパディング（Ｐ）、拡張ヘッダの有無を示す拡張ヘッダ（Ｘ）、通信の開始や再開時などを示すマーカー（Ｍ）、伝送する符号データの種類を示すペイロードタイプ（ＰＴ）、ＲＴＰパケットの順番を示すシーケンス番号、再生時のタイミングを示すタイムスタンプ、ＲＴＰの送信元を示す同期送信元（ＳＳＲＣ）識別子、複数のストリームを混ぜて送信する場合に、それぞれのストリームを識別する寄与送信元（ＣＳＲＣ）識別子、および、ペイロードタイプによって必要となる情報を記述する拡張ヘッダを含む。
【０２２８】
テレビ会議装置１１００、テレビ会議装置１２００、テレビ会議装置１３００およびテレビ会議装置１４００は、動画データを扱うために、図１８に示されたＲＴＰパケットを用いる。
【０２２９】
図１９は、図１に示された実施の形態１におけるＲＴＰパケットをＩＰパケット化した場合のＩＰパケットのデータ構造を示す図である。
【０２３０】
ＲＴＰパケットは、ＲＴＰヘッダ、および、符号化されたデータを含む。ＵＤＰパケットは、ＲＴＰパケットをデータとして含み、さらに、ＵＤＰヘッダを含む。ＩＰパケットは、ＵＤＰパケットをデータとして含み、さらに、ＩＰヘッダを含む。
【０２３１】
テレビ会議装置１１００、テレビ会議装置１２００、テレビ会議装置１３００およびテレビ会議装置１４００は、テレビ会議通信のために、図１９に示されたＩＰパケットを用いる。
【０２３２】
図２０は、図１に示された実施の形態１における引き継ぎ情報のデータ構造の例を示す図である。
【０２３３】
図２０に示された引き継ぎ情報は、転送の必要あり、または、転送の必要なしを示す転送情報を含む。そして、転送情報が、転送の必要ありを示す場合、引き継ぎ情報は、転送先アドレスを含む。また、引き継ぎ情報は、引き継ぎ元の拠点が接続していた接続拠点数、および、引き継ぎ元の拠点で表示されていた画面構成を含む。
【０２３４】
また、引き継ぎ情報は、引き継ぎ元の拠点が接続していた拠点のＩＰアドレスを含む。また、引き継ぎ情報は、引き継ぎ元の拠点が接続していた拠点に対応する解像度、ビットレートおよびフレームレートを含む。また、引き継ぎ情報は、テレビ会議への参加時間等を示す接続時間を含む。
【０２３５】
また、引き継ぎ元の拠点がメモリカードおよび電子ファイル等を用いていた場合には、引き継ぎ情報は、メモリカードおよび電子ファイル等の情報を示す共有情報を含んでもよい。さらに、引き継ぎ元の拠点がメモリカードおよび電子ファイル等によって動画データを再生していた場合には、引き継ぎ情報は、再生された再生時間を含んでもよい。
【０２３６】
さらに、引き継ぎ情報は、テレビ会議装置１１００における画像のズーム情報を含んでもよい。これにより、引き継ぎ後のテレビ会議装置１３００における画像は、テレビ会議装置１１００と同様にズームされる。
【０２３７】
図２１は、転送の必要ありとする引き継ぎ情報のデータ構造の例を示す図である。
【０２３８】
図２１に示された引き継ぎ情報は、転送の必要ありを示す転送情報を含む。そして、引き継ぎ情報は、転送先アドレスを含む。
【０２３９】
そして、図２０に示された引き継ぎ情報と同様に、図２１に示された引き継ぎ情報は、接続拠点数および画面構成を含む。
【０２４０】
また、図２０に示された引き継ぎ情報と同様に、図２１に示された引き継ぎ情報は、ＩＰアドレス、解像度、ビットレート、フレームレートおよび接続時間を含む。
【０２４１】
また、図２０に示された引き継ぎ情報と同様に、図２１に示された引き継ぎ情報は、共有情報および再生時間を含んでもよい。
【０２４２】
図２２は、転送の必要なしとする引き継ぎ情報のデータ構造の例を示す図である。
【０２４３】
図２２に示された引き継ぎ情報は、転送の必要なしを示す転送情報を含む。
【０２４４】
そして、図２０に示された引き継ぎ情報と同様に、図２２に示された引き継ぎ情報は、接続拠点数および画面構成を含む。
【０２４５】
また、図２０に示された引き継ぎ情報と同様に、図２２に示された引き継ぎ情報は、ＩＰアドレス、解像度、ビットレート、フレームレートおよび接続時間を含む。
【０２４６】
また、図２０に示された引き継ぎ情報と同様に、図２２に示された引き継ぎ情報は、共有情報および再生時間を含んでもよい。
【０２４７】
図２３は、実施の形態１におけるサーバ情報のデータ構造の例を示す図である。
【０２４８】
図２３に示されたサーバ情報は、接続拠点変更、または、サーバ変更を示すサーバ情報種別を含む。
【０２４９】
そして、サーバ情報種別が接続拠点変更を示す場合、サーバ情報は、引き継ぎ元アドレスおよび引き継ぎ先アドレスを含む。さらに、サーバ情報は、引き継ぎ有効期間を含んでもよい。
【０２５０】
一方、サーバ情報種別がサーバ変更を示す場合、サーバ情報は、接続拠点変更あり、または、接続拠点変更なしを示す接続拠点変更区分を含む。さらに、接続拠点変更区分が接続拠点変更ありを示す場合、サーバ情報は、引き継ぎ元アドレスおよび引き継ぎ先アドレスを含む。さらに、サーバ情報は、引き継ぎ有効期間を含んでもよい。
【０２５１】
さらに、サーバ情報種別がサーバ変更を示す場合、サーバ情報は、接続拠点のアドレスを含む。
【０２５２】
なお、サーバ情報は、引き継ぎを通知するための接続拠点変更通知として用いられる場合がある。
【０２５３】
図２４は、接続拠点変更を示すサーバ情報のデータ構造の例を示す図である。
【０２５４】
図２４に示されたサーバ情報は、接続拠点変更を示すサーバ情報種別を含む。
【０２５５】
そして、サーバ情報は、引き継ぎ元アドレスおよび引き継ぎ先アドレスを含む。さらに、サーバ情報は、引き継ぎ有効期間を含んでもよい。
【０２５６】
図２５は、サーバ変更を示すサーバ情報のデータ構造の例を示す図である。
【０２５７】
図２５に示されたサーバ情報は、サーバ変更を示すサーバ情報種別を含む。
【０２５８】
そして、サーバ情報は、接続拠点変更ありを示す接続拠点変更区分を含む。さらに、サーバ情報は、引き継ぎ元アドレスおよび引き継ぎ先アドレスを含む。さらに、サーバ情報は、引き継ぎ有効期間を含んでもよい。
【０２５９】
さらに、サーバ情報は、接続拠点のアドレスを含む。
【０２６０】
図２６は、図１に示された実施の形態１における拠点Ａの引き継ぎ選択画面を示す図である。図３に示された拠点Ａにおけるテレビ会議装置１１００は、図２６に示された引き継ぎ選択画面を表示する。
【０２６１】
具体的には、入力部１１０８が引き継ぎ要求の入力を受け付けると、引き継ぎ情報生成部１１０９は、画像出力制御部１１１８を介して、図２６に示された引き継ぎ選択画面を画像出力部１１２０に表示する。
【０２６２】
図２６に示された引き継ぎ選択画面のように、画像出力部１１２０は、引き継ぎ元である拠点ＡのＩＰアドレスを表示する。そして、入力部１１０８は、引き継ぎ先である拠点ＥのＩＰアドレスの入力を受け付ける。
【０２６３】
さらに、画像出力部１１２０は、引き継ぎ選択画面に、引き継ぎを行うか否かの確認メッセージを表示する。そして、入力部１１０８は、引き継ぎを行うか否かの入力を受け付ける。
【０２６４】
これにより、入力部１１０８は、ユーザから引き継ぎ要求の入力を受け付ける。
【０２６５】
図２７は、図１に示された実施の形態１における引き継ぎ中の拠点Ｂの表示画面を示す図である。図４に示された拠点Ｂにおけるテレビ会議装置１２００は、図２７に示された画面を表示する。
【０２６６】
具体的には、まず、拠点Ｂにおけるテレビ会議装置１２００の引き継ぎ表示設定部１２２３は、接続拠点管理部１２１３からの接続拠点変更の通知を受ける。そして、引き継ぎ表示設定部１２２３は、画像出力制御部１２１８および画像出力部１２２０を介して、引き継ぎ元拠点である拠点Ａの画像が表示されていた箇所に、引き継ぎ中と表示する。
【０２６７】
拠点Ｃおよび拠点Ｄにおけるテレビ会議装置１４００は、接続拠点変更により、図２７に示された画面と同様の画面を表示する。なお、拠点Ｂ、拠点Ｃおよび拠点Ｄは、それぞれ別の画面構成で表示してもよい。
【０２６８】
図２８は、実施の形態１における引き継ぎ後の拠点Ｂの表示画面を示す図である。図４に示された拠点Ｂにおけるテレビ会議装置１２００は、接続拠点変更によって、図２７に示された画面が表示された後、引き継ぎ先拠点である拠点Ｅとのテレビ会議通信が可能になれば、図２８に示された画面を表示する。なお、拠点Ｃおよび拠点Ｄにおけるテレビ会議装置１４００は、図２８に示された画面と同様の画面を表示する。拠点Ｂ、拠点Ｃおよび拠点Ｄは、それぞれ別の画面構成で表示してもよい。
【０２６９】
図２９は、実施の形態１における表示画面の遷移を示す図である。図２９に示された（１）から（４）までの各フェーズは、図７、図８、図１０および図１１に示された（１）から（４）までの各フェーズに対応する。
【０２７０】
まず、引き継ぎ開始前において、各拠点では、それぞれ、自身の拠点以外の他の拠点が表示される。
【０２７１】
次に、拠点Ａが離脱した場合、拠点Ｂ、拠点Ｃおよび拠点Ｄの画面において、それぞれ、拠点Ａが表示されていた位置には、引き継ぎ中と表示される。
【０２７２】
次に、拠点Ｅがテレビ会議に参加しようとする時に、拠点Ｅの画面には、認証中と表示される。
【０２７３】
次に、拠点Ｅが認証され、拠点Ｅでは、拠点Ａに表示されていた画面が表示される。また、拠点Ｂ、拠点Ｃおよび拠点Ｄにおいて、それぞれ、拠点Ａが表示されていた位置には、拠点Ｅが表示される。
【０２７４】
これにより、拠点Ｂ、拠点Ｃおよび拠点Ｄは、拠点Ａから拠点Ｅへの引き継ぎが行われた後、拠点Ａの画像が表示されていた箇所に、拠点Ｅの画像を表示する。また、拠点Ｅには、拠点Ａの画面構成が引き継がれる。
【０２７５】
図３０および図３１は、実施の形態１の変形例における引き継ぎ処理を示すシーケンス図である。
【０２７６】
図３０および図３１で示された引き継ぎ処理では、図８と同様に、拠点Ｅが電源オフの状態であり（Ｓ１９０１）、拠点Ｂがサーバ機能オンの状態である（Ｓ１９０２）ことを前提としている。図３０および図３１に示された例では、図８に示された例と比較して、認証の処理が変更されている。
【０２７７】
まず、拠点Ａは、引き継ぎ情報を拠点Ｂに送信する（Ｓ１９０３）。
【０２７８】
次に、拠点Ａは、接続拠点変更を示すサーバ情報を拠点Ｂに送信する（Ｓ１９０４）。
【０２７９】
次に、拠点Ｂは、各拠点に引き継ぎ元の拠点である拠点Ａとの接続を切断させるために、各拠点に切断要求を送信する（Ｓ１９０５）。これにより、拠点Ａとの接続が、切断される。
【０２８０】
次に、拠点Ｅは、電源オンの状態となる（Ｓ１９０６）。
【０２８１】
次に、拠点Ｅは、拠点Ｂに接続要求を送信する。これにより、拠点Ｂは、拠点Ｅと接続する。そして、拠点Ｂは、拠点Ｃおよび拠点Ｄに、拠点Ｅとの接続要求を送信する。これにより、拠点Ｃおよび拠点Ｄは、拠点Ｅと接続する（Ｓ１９０７）。拠点Ｂは、拠点Ｃおよび拠点Ｄに、拠点Ｅとの接続要求を送信する時、拠点Ｃおよび拠点Ｄから拠点Ｅへのデータ送信を制限する通知を送信する。
【０２８２】
次に、拠点Ｂは、引き継ぎ情報を拠点Ｅに送信する（Ｓ１９０８）。
【０２８３】
次に、拠点Ｅは、拠点Ｂ、拠点Ｃおよび拠点Ｄに、拠点Ｅの映像データおよび音声データを送信する。一方、拠点Ｂ、拠点Ｃおよび拠点Ｄは、拠点Ｅに、それぞれの拠点の映像データおよび音声データを送信しない。すなわち、通信は、拠点Ｅから、拠点Ｂ、拠点Ｃおよび拠点Ｄへの一方向通信になる（Ｓ１９０９）。このとき、拠点Ｂ、拠点Ｃおよび拠点Ｄは、それぞれの拠点の映像データおよび音声データの代わりに、黒画面および無音等を送信してもよい。
【０２８４】
次に、拠点Ｂのユーザは、拠点Ｅからの参加者を画面で確認することにより、テレビ会議への参加を認証する。そして、拠点Ｂのユーザは、認証情報を入力する。拠点Ｅのテレビ会議への参加が認証された後、拠点Ｂは、拠点Ｅに、拠点Ｂの映像データおよび音声データを送信する。これにより、拠点Ｂと拠点Ｅとの間の通信は、双方向通信になる（Ｓ１９１０）。
【０２８５】
すなわち、拠点Ｂのテレビ会議装置１２００の画像出力部１２２０は、拠点Ｅのテレビ会議装置１３００の認証前に、テレビ会議装置１３００で撮影された映像を表示する。そして、テレビ会議装置１２００の認証情報入力部１２２６は、テレビ会議装置１３００の認証情報の入力を受け付ける。認証情報が入力された後、テレビ会議装置１２００のネットワーク送信部１２１１は、テレビ会議装置１２００で撮影された映像をテレビ会議装置１３００に送信する。
【０２８６】
次に、拠点Ｄのユーザは、拠点Ｅからの参加者を画面で確認することにより、テレビ会議への参加を認証する。そして、拠点Ｄのユーザは、認証情報を入力する。拠点Ｅのテレビ会議への参加が認証された後、拠点Ｄは、サーバである拠点Ｂに認証情報を送信する。拠点Ｂは、拠点Ｄに映像データおよび音声データの送信許可を通知する。そして、拠点Ｄは、拠点Ｅに、拠点Ｄの映像データおよび音声データを送信する。これにより、拠点Ｄと拠点Ｅとの間の通信は、双方向通信になる（Ｓ１９１１）。
【０２８７】
すなわち、拠点Ｄのテレビ会議装置１４００の画像出力部１４２０は、拠点Ｅのテレビ会議装置１３００の認証前に、テレビ会議装置１３００で撮影された映像を表示する。そして、テレビ会議装置１４００の認証情報入力部１４２６は、テレビ会議装置１３００の認証情報の入力を受け付ける。認証情報が入力された後、テレビ会議装置１４００のネットワーク送信部１４１１は、テレビ会議装置１４００で撮影された映像をテレビ会議装置１３００に送信する。
【０２８８】
拠点Ｃも、拠点Ｄと同様に、認証後、拠点Ｅとの双方向通信を開始する（Ｓ１９１２）。
【０２８９】
図３２は、図３０および図３１に示された実施の形態１の変形例における表示画面の遷移を示す図である。図３２に示された（１）から（６）までの各フェーズは、図３０および図３１に示された（１）から（６）までの各フェーズに対応する。
【０２９０】
まず、引き継ぎ開始前において、各拠点では、それぞれ、自身の拠点以外の他の拠点が表示される。
【０２９１】
次に、拠点Ａが離脱した場合、拠点Ｂ、拠点Ｃおよび拠点Ｄの画面において、それぞれ、拠点Ａが表示されていた位置には、引き継ぎ中と表示される。
【０２９２】
次に、拠点Ｅが、拠点Ｂ、拠点Ｃおよび拠点Ｄに接続した後、拠点Ｅの画面には、認証中と表示される。拠点Ｂ、拠点Ｃおよび拠点Ｄの画面には、それぞれ、拠点Ａの画像が表示されていた箇所に、拠点Ｅの画像が表示される。
【０２９３】
次に、拠点Ｂで拠点Ｅが認証され、拠点Ｅでは、引き継ぎ前の拠点Ａで拠点Ｂの画像が表示されていた箇所に拠点Ｂの画像が表示される。
【０２９４】
次に、拠点Ｄで拠点Ｅが認証され、拠点Ｅでは、引き継ぎ前の拠点Ａで拠点Ｄの画像が表示されていた箇所に拠点Ｄの画像が表示される。
【０２９５】
次に、拠点Ｃで拠点Ｅが認証され、拠点Ｅでは、引き継ぎ前の拠点Ａで拠点Ｃの画像が表示されていた箇所に拠点Ｃの画像が表示される。
【０２９６】
このように、図３０、図３１および図３２に示された例では、拠点Ｅの参加者等が確認された後に、参加が認証される。したがって、セキュリティが確保される。
【０２９７】
なお、拠点Ｂが、拠点Ｂ、拠点Ｃおよび拠点Ｄを代表して、拠点Ｅを認証してもよい。例えば、拠点Ｂは、拠点Ｅを認証した後、拠点Ｃに、映像データおよび音声データの送信許可を通知する。これにより、拠点Ｃのネットワーク送信部１４１１は、拠点Ｂで拠点Ｅの参加が認証された後、拠点Ｃで撮影された映像を拠点Ｅへ送信する。すなわち、拠点Ｅは、拠点Ｂで包括的に認証された後、双方向で各拠点とのテレビ会議通信を行うことができる。
【０２９８】
以上のように、実施の形態１によれば、引き継ぎ元である拠点Ａが引き継ぎ先である拠点Ｅへ引き継ぎ情報を渡し、拠点Ｅがテレビ会議システムに接続する。これにより、実施の形態１におけるテレビ会議システムは、それまで実行されていたテレビ会議の状態を保持して、テレビ会議の引き継ぎを行うことができる。
【０２９９】
また、拠点Ａがサーバとなっている場合であっても、拠点Ｂにサーバ機能を引き継ぐことにより、テレビ会議の継続が可能である。さらに、拠点Ａが接続拠点変更に伴う通知を行い、通知を受けた拠点が接続拠点の変更を反映することで、参加認証を必要とするテレビ会議システムにおいても、テレビ会議の継続が可能である。
【０３００】
また、引き継ぎを行う拠点Ｅは、拠点Ａが接続回線の状態により決定していた符号化方法を維持して符号化を開始することができる。これにより、テレビ会議システムのユーザは、接続回線の状態に合わせて符号化方法を調整する手間を省くことができる。
【０３０１】
また、引き継ぎ先の拠点Ｅは、引き継ぎ元の拠点Ａの画面構成を維持することができ、再接続により画面構成を変えずに、拠点Ａと同条件でテレビ会議を継続することができる。
【０３０２】
また、テレビ会議に継続して参加している拠点Ｂ、拠点Ｃおよび拠点Ｄは、引き継ぎ元の拠点Ａの位置に引き継ぎ先の拠点Ｅを表示することで、同じ参加者を同じ位置に表示することができる。これにより、画面構成を変えずに、テレビ会議の継続が可能である。
【０３０３】
なお、接続先のアドレスを示す情報として、典型的にはＩＰアドレスを用いるが、ＭＡＣ（Ｍｅｄｉａ  Ａｃｃｅｓｓ  Ｃｏｎｔｒｏｌ）アドレスを用いてよい。接続拠点管理部は、このようなアドレス情報を用いて、テレビ会議への参加認証を行ってもよい。また、アドレス情報の代わりに、各テレビ会議装置を特定するための情報が、用いられてもよい。例えば、各テレビ会議装置を特定するための情報として、各テレビ会議装置のシリアル番号等のように、一意の識別子が用いられてもよい。
【０３０４】
また、引き継ぎ情報は、ネットワークを介さず、メモリカード等の記憶媒体を介して、受け渡されるものとしてもよい。このような方法によっても、引き継ぎ先の拠点が電源オフの場合、設定情報である引き継ぎ情報の維持ができる。
【０３０５】
また、引き継ぎ情報は、引き継ぎのときに利用されるだけではなく、設定情報の維持に利用されるものとしてもよい。すなわち、引き継ぎ情報は、引き継ぎ先の拠点Ｅに適用するだけに限られない。例えば、拠点Ａにおいてテレビ会議に参加していたユーザが、一時的にテレビ会議を退席した後、再度、拠点Ａにおいてテレビ会議に参加する場合、引き継ぎ情報は、拠点Ａに適用されるものとしてもよい。
【０３０６】
また、引き継ぎ情報には、図２０に示された例に加えて、ＯＳＤ（Ｏｎ  Ｓｃｒｅｅｎ  Ｄｉｓｐｌａｙ）表示のオンまたはオフの情報が含まれてもよい。また、各拠点からの画像の表示位置、表示サイズおよび表示比率が、画面構成として、引き継ぎ情報に含まれてもよい。
【０３０７】
また、各テレビ会議装置のネットワーク送信部またはネットワーク受信部は、無線により通信を行う無線送信部または無線受信部等の送信部または受信部に置き換えられてもよい。そして、各テレビ会議装置は、無線によりテレビ会議通信および引き継ぎ処理を行うものとしてもよい。
【０３０８】
また、テレビ会議装置１３００の引き継ぎ設定部１３２４は、テレビ会議装置１３００の物理的な画面の特性とテレビ会議装置１１００の物理的な画面の特性とが同じ場合、引き継ぎ情報を用いてテレビ会議装置１３００の画面構成を設定してもよい。
【０３０９】
ここで、物理的な画面の特性は、例えば、画面の縦横比、または、画面の大きさ等、画面構成に影響を及ぼす特性である。このような特性が異なる場合、引き継ぎ前と引き継ぎ後で、画面構成が同じにならない場合がある。逆に、物理的な画面の特性が同じ場合、画面構成が正しく引き継がれる。物理的な画面の特性が同じであるか否かは、引き継ぎ先のテレビ会議装置が認証されるときに、テレビ会議装置が対応する機器であるか否かとして、確認されてもよい。
【０３１０】
（実施の形態２）
次に、本発明の実施の形態２について図面を用いて説明する。
【０３１１】
図３３は、実施の形態２におけるテレビ会議システムの概要図である。図３３には、拠点Ａ、拠点Ｂ、拠点Ｃおよび拠点Ｄにおいて、テレビ会議が行われている例が示されている。また、実施の形態２では、実施の形態１と同様に、拠点Ａにいるテレビ会議のユーザが、拠点Ｅに移動した後、継続してテレビ会議を利用する場合を想定している。
【０３１２】
さらに、実施の形態２では、参加認証の管理をするサーバ機能を持つ拠点Ａが、拠点Ｅへサーバ機能も引き継ぐ場合を想定している。そして、メモリカード２０００には、「東京ｖｓ大阪」のサッカーの試合が動画データとして保存されている。引き継ぐ前、拠点Ａは、メモリカード２０００に保存された動画データを再生している。そして、拠点Ａは、動画データを拠点Ｂ、拠点Ｃおよび拠点Ｄに配信している。拠点Ａ、拠点Ｂ、拠点Ｃおよび拠点Ｄにいるサッカーファンは、同時にサッカーの試合を視聴しながら、試合内容について意見交換を行っている。
【０３１３】
なお、図３３に示す通り、拠点Ａには、テレビ会議装置２１００がある。拠点Ｂ、拠点Ｃおよび拠点Ｄには、それぞれテレビ会議装置２２００がある。そして、拠点Ｅには、テレビ会議装置２３００がある。
【０３１４】
また、拠点Ａのテレビ会議装置２１００は、拠点Ｅのテレビ会議装置２３００に引き継ぎ情報およびサーバ情報を送信することにより、設定およびサーバ機能をテレビ会議装置２３００に引き継ぐ。さらに、メモリカード２０００は、テレビ会議装置２１００からテレビ会議装置２３００に移動される。これにより、実施の形態２のテレビ会議システムは、テレビ会議を継続する。
【０３１５】
図３４は、図３３で示された実施の形態２における引き継ぎ前の拠点Ａの表示画面を示す図である。拠点Ａは、拠点Ａ、拠点Ｂ、拠点Ｃおよび拠点Ｄの状況を表示する。さらに、サッカーの試合の動画データを表示する。
【０３１６】
なお、拠点Ｂ、拠点Ｃおよび拠点Ｄは、拠点Ａにおける画面構成と同じ画面構成で画面を表示してもよいし、異なる画面構成で画面を表示してもよい。
【０３１７】
図３５は、図３３で示された実施の形態２における拠点Ａのテレビ会議装置の構成図である。
【０３１８】
テレビ会議装置２１００は、画像入力部２１０１、音声入力部２１０２、符号化制御部２１０３、画像符号化部２１０４、音声符号化部２１０５、多重化部２１０６、出力パケット保存部２１０７、入力部２１０８、引き継ぎ情報生成部２１０９、サーバ部２１１０、ネットワーク送信部２１１１、ネットワーク受信部２１１２、接続拠点管理部２１１３、入力パケット保存部２１１４、多重化分離部２１１５、画像復号化部２１１６、音声復号化部２１１７、画像出力制御部２１１８、音声出力制御部２１１９、画像出力部２１２０、音声出力部２１２１、参加時間計測部２１２２、有効期間生成部２１３１、メモリカード復号化部２１３２および再生位置保持部２１３３を備える。
【０３１９】
符号化制御部２１０３、画像符号化部２１０４、音声符号化部２１０５、多重化部２１０６、出力パケット保存部２１０７、引き継ぎ情報生成部２１０９、サーバ部２１１０、接続拠点管理部２１１３、入力パケット保存部２１１４、多重化分離部２１１５、画像復号化部２１１６、音声復号化部２１１７、画像出力制御部２１１８、音声出力制御部２１１９、参加時間計測部２１２２、有効期間生成部２１３１および再生位置保持部２１３３は、ＬＳＩ２１５０によって実現されるものとしてもよい。
【０３２０】
テレビ会議装置２１００の画像入力部２１０１、音声入力部２１０２、符号化制御部２１０３、画像符号化部２１０４、音声符号化部２１０５、多重化部２１０６、出力パケット保存部２１０７、入力部２１０８、引き継ぎ情報生成部２１０９、サーバ部２１１０、ネットワーク送信部２１１１、ネットワーク受信部２１１２、接続拠点管理部２１１３、入力パケット保存部２１１４、多重化分離部２１１５、画像復号化部２１１６、音声復号化部２１１７、画像出力制御部２１１８、音声出力制御部２１１９、画像出力部２１２０、音声出力部２１２１および参加時間計測部２１２２は、図３に示された実施の形態１におけるテレビ会議装置１１００の画像入力部１１０１、音声入力部１１０２、符号化制御部１１０３、画像符号化部１１０４、音声符号化部１１０５、多重化部１１０６、出力パケット保存部１１０７、入力部１１０８、引き継ぎ情報生成部１１０９、サーバ部１１１０、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０、音声出力部１１２１および参加時間計測部１１２２と同様の動作をする。
【０３２１】
さらに、有効期間生成部２１３１は、引き継ぎ情報生成部２１０９が引き継ぎ情報を生成する時、テレビ会議の引き継ぎのための有効期間を生成し、ネットワーク送信部２１１１を介して、引き継ぎ先の拠点である拠点Ｅに送信する。
【０３２２】
また、メモリカード復号化部２１３２は、メモリカード２０００に保持されたデータを読み出し、データの圧縮方式に応じて復号化を行う。メモリカード復号化部２１３２は、復号化されたデータのうち、ビデオデータを画像符号化部２１０４に、オーディオデータを音声符号化部２１０５に出力する。また、メモリカード復号化部２１３２は、再生位置を再生位置保持部２１３３に出力する。
【０３２３】
また、再生位置保持部２１３３は、メモリカード復号化部２１３２により復号化されたデータの再生位置を保持する。また、再生位置保持部２１３３は、再生位置を引き継ぎ情報生成部２１０９に出力する。
【０３２４】
また、画像符号化部２１０４は、符号化制御部２１０３が設定する符号化条件に従い、例えば、画像入力部２１０１により得られたビデオ入力信号およびメモリカード復号化部２１３２により得られたビデオデータをＭＰＥＧ−４  ＡＶＣ／Ｈ．２６４で符号化し、ビデオ符号化ストリームを出力する。
【０３２５】
また、音声符号化部２１０５は、符号化制御部２１０３が設定する符号化条件に従い、例えば、音声入力部２１０２により得られたオーディオ入力信号およびメモリカード復号化部２１３２により得られたオーディオデータをＭＰＥＧ−４  ＡＡＣ−ＬＤで符号化し、オーディオ符号化ストリームを出力する。
【０３２６】
図３６は、図３３で示された実施の形態２における拠点Ｂ、拠点Ｃおよび拠点Ｄのテレビ会議装置の構成図である。
【０３２７】
テレビ会議装置２２００は、画像入力部２２０１、音声入力部２２０２、符号化制御部２２０３、画像符号化部２２０４、音声符号化部２２０５、多重化部２２０６、出力パケット保存部２２０７、ネットワーク送信部２２１１、ネットワーク受信部２２１２、接続拠点管理部２２１３、入力パケット保存部２２１４、多重化分離部２２１５、画像復号化部２２１６、音声復号化部２２１７、画像出力制御部２２１８、音声出力制御部２２１９、画像出力部２２２０、音声出力部２２２１、引き継ぎ表示設定部２２２３および有効期間計測部２２３４を備える。
【０３２８】
符号化制御部２２０３、画像符号化部２２０４、音声符号化部２２０５、多重化部２２０６、出力パケット保存部２２０７、接続拠点管理部２２１３、入力パケット保存部２２１４、多重化分離部２２１５、画像復号化部２２１６、音声復号化部２２１７、画像出力制御部２２１８、音声出力制御部２２１９、引き継ぎ表示設定部２２２３および有効期間計測部２２３４は、ＬＳＩ２２５０によって実現されるものとしてもよい。
【０３２９】
テレビ会議装置２２００の画像入力部２２０１、音声入力部２２０２、符号化制御部２２０３、画像符号化部２２０４、音声符号化部２２０５、多重化部２２０６、出力パケット保存部２２０７、ネットワーク送信部２２１１、ネットワーク受信部２２１２、接続拠点管理部２２１３、入力パケット保存部２２１４、多重化分離部２２１５、画像復号化部２２１６、音声復号化部２２１７、画像出力制御部２２１８、音声出力制御部２２１９、画像出力部２２２０、音声出力部２２２１および引き継ぎ表示設定部２２２３は、図６に示された実施の形態１におけるテレビ会議装置１４００の画像入力部１４０１、音声入力部１４０２、符号化制御部１４０３、画像符号化部１４０４、音声符号化部１４０５、多重化部１４０６、出力パケット保存部１４０７、ネットワーク送信部１４１１、ネットワーク受信部１４１２、接続拠点管理部１４１３、入力パケット保存部１４１４、多重化分離部１４１５、画像復号化部１４１６、音声復号化部１４１７、画像出力制御部１４１８、音声出力制御部１４１９、画像出力部１４２０、音声出力部１４２１および引き継ぎ表示設定部１４２３と同様の動作をする。
【０３３０】
さらに、有効期間計測部２２３４は、ネットワーク受信部２２１２が受信した拠点Ａからの有効期間に基づいて、有効期間を計測する。拠点Ｅとのテレビ会議が有効期間内に再開されなければ、有効期間計測部２２３４は、拠点Ｅとのテレビ会議通信を無効と判定する。
【０３３１】
図３７は、図３３で示された実施の形態２における拠点Ｅのテレビ会議装置の構成図である。
【０３３２】
テレビ会議装置２３００は、画像入力部２３０１、音声入力部２３０２、符号化制御部２３０３、画像符号化部２３０４、音声符号化部２３０５、多重化部２３０６、出力パケット保存部２３０７、サーバ部２３１０、ネットワーク送信部２３１１、ネットワーク受信部２３１２、接続拠点管理部２３１３、入力パケット保存部２３１４、多重化分離部２３１５、画像復号化部２３１６、音声復号化部２３１７、画像出力制御部２３１８、音声出力制御部２３１９、画像出力部２３２０、音声出力部２３２１、参加時間計測部２３２２、引き継ぎ設定部２３２４、メモリカード復号化部２３３２および再生位置設定部２３３５を備える。
【０３３３】
符号化制御部２３０３、画像符号化部２３０４、音声符号化部２３０５、多重化部２３０６、出力パケット保存部２３０７、サーバ部２３１０、接続拠点管理部２３１３、入力パケット保存部２３１４、多重化分離部２３１５、画像復号化部２３１６、音声復号化部２３１７、画像出力制御部２３１８、音声出力制御部２３１９、参加時間計測部２３２２、引き継ぎ設定部２３２４および再生位置設定部２３３５は、ＬＳＩ２３５０によって実現されるものとしてもよい。
【０３３４】
テレビ会議装置２３００の画像入力部２３０１、音声入力部２３０２、符号化制御部２３０３、画像符号化部２３０４、音声符号化部２３０５、多重化部２３０６、出力パケット保存部２３０７、ネットワーク送信部２３１１、ネットワーク受信部２３１２、接続拠点管理部２３１３、入力パケット保存部２３１４、多重化分離部２３１５、画像復号化部２３１６、音声復号化部２３１７、画像出力制御部２３１８、音声出力制御部２３１９、画像出力部２３２０、音声出力部２３２１、参加時間計測部２３２２および引き継ぎ設定部２３２４は、図５に示された実施の形態１におけるテレビ会議装置１３００の画像入力部１３０１、音声入力部１３０２、符号化制御部１３０３、画像符号化部１３０４、音声符号化部１３０５、多重化部１３０６、出力パケット保存部１３０７、ネットワーク送信部１３１１、ネットワーク受信部１３１２、接続拠点管理部１３１３、入力パケット保存部１３１４、多重化分離部１３１５、画像復号化部１３１６、音声復号化部１３１７、画像出力制御部１３１８、音声出力制御部１３１９、画像出力部１３２０、音声出力部１３２１、参加時間計測部１３２２および引き継ぎ設定部１３２４と同様の動作をする。
【０３３５】
また、サーバ部２３１０は、図４に示された実施の形態１におけるテレビ会議装置１２００のサーバ部１２１０と同様の動作をする。
【０３３６】
また、メモリカード復号化部２３３２は、図３５に示されたテレビ会議装置２１００のメモリカード復号化部２１３２と同様の動作をする。
【０３３７】
さらに、引き継ぎ設定部２３２４は、引き継ぎ情報から再生位置を抽出し、再生位置設定部２３３５に出力する。
【０３３８】
また、再生位置設定部２３３５は、前記再生位置をメモリカード復号化部２３３２に通知する。
【０３３９】
また、メモリカード復号化部２３３２は、再生位置設定部２３３５により通知された再生位置から、メモリカード２０００に保持された動画データを復号化する。
【０３４０】
次に、以上のように構成されたテレビ会議装置における引き継ぎ動作について説明する。
【０３４１】
ここで、実施の形態２では、実施の形態１と同様に、拠点Ａ、拠点Ｂ、拠点Ｃおよび拠点Ｄがテレビ会議を行っていることを前提としている。そして、拠点Ａがサーバとなっていることを前提としている。
【０３４２】
さらに、拠点Ａは、メモリカード２０００に保存されたデータの内容を拠点Ｂ、拠点Ｃおよび拠点Ｄと共有する。そのため、メモリカード復号化部２１３２は、メモリカード２０００に保持されたデータを復号化し、ネットワーク送信部２１１１等を介して、拠点Ｂ、拠点Ｃおよび拠点Ｄに送信する。また、再生位置保持部２１３３は、メモリカード復号化部２１３２により得られる再生位置を保持する。
【０３４３】
さらに、図３４に示された画面の通り、拠点Ａは、内容に詳しいサッカーファンがいる拠点Ｄの表示を他の拠点よりも大きくなるように、入力部２１０８から指示を受けて、画像出力部２１２０の表示を調整している。これにより、拠点Ａのユーザの嗜好に合わせた画面構成により画面が表示されている。
【０３４４】
図３８は、図３３に示された実施の形態２における引き継ぎ処理を示すシーケンス図である。実施の形態２では、拠点Ｅが電源オンの状態であり（Ｓ２１０１）、拠点Ａがサーバ機能オンの状態である（Ｓ２１０２）ことを前提としている。
【０３４５】
まず、拠点Ａは、引き継ぎ先の指定を受け付ける。そして、引き継ぎ先である拠点Ｅを認証する。このとき、拠点Ａは、拠点Ｅのテレビ会議装置２３００が拠点Ａのテレビ会議装置２１００と互換性を有するか否かを確認することにより、拠点Ｅを認証する。また、拠点Ａは、テレビ会議装置２３００の物理的な画面の特性とテレビ会議装置２１００の物理的な画面の特性とが同じであるか否かを確認することにより、拠点Ｅを認証してもよい。
【０３４６】
次に、拠点Ａは、引き継ぎ情報を拠点Ｅに送信する（Ｓ２１０４）。
【０３４７】
次に、拠点Ａは、サーバ変更および接続拠点変更を示すサーバ情報を拠点Ｅに送信する（Ｓ２１０５）。
【０３４８】
次に、拠点Ｅは、サーバ機能オンの状態となる（Ｓ２１０６）。
【０３４９】
次に、拠点Ａは、サーバ機能オフの状態となる（Ｓ２１０７）。
【０３５０】
次に、拠点Ａは、有効期間を拠点Ｂ、拠点Ｃおよび拠点Ｄに送信する（Ｓ２１０８）。
【０３５１】
次に、拠点Ｅは、拠点Ｂ、拠点Ｃおよび拠点Ｄに、拠点Ａとの切断要求を送信する（Ｓ２１０９）。これにより、拠点Ａとの接続が切断される。
【０３５２】
次に、拠点Ｅは、拠点Ｂ、拠点Ｃおよび拠点Ｄに、拠点Ｅとの接続要求を送信する（Ｓ２１１０）。そして、拠点Ｂ、拠点Ｃおよび拠点Ｄは、拠点Ｅと接続し、通信を開始する（Ｓ２１１１）。
【０３５３】
これによって、拠点Ａがサーバとして動作している場合でも、サーバとしての動作を拠点Ｅに引き継ぐことで、テレビ会議システムの拠点としての動作を拠点Ｅに引き継ぐことができる。
【０３５４】
図３９および図４０は、図３３に示された実施の形態２における拠点Ａの処理を示すフローチャートである。
【０３５５】
まず、テレビ会議中の拠点Ａにおいて、入力部２１０８は、テレビ会議の引き継ぎボタン押下を受け付ける（Ｓ２２０１）。
【０３５６】
次に、画像出力制御部２１１８は、図２６に示された画面を表示するように画像出力部２１２０を制御する。入力部２１０８は、拠点Ｅへテレビ会議の引き継ぎを行うため、引き継ぎ先である拠点ＥのＩＰアドレスの入力を受け付ける（Ｓ２２０２）。また、引き継ぎするか否かの選択を受け付ける。そして、受け付けた情報を引き継ぎ情報生成部２１０９に通知する。
【０３５７】
次に、サーバ部２１１０は、引き継ぎ先である拠点Ｅの参加を認証する（Ｓ２２０３）。例えば、サーバ部２１１０は、拠点Ａのテレビ会議装置２１００と拠点Ｅのテレビ会議装置２３００とが互換性を有するか否か等を確認することによって、引き継ぎ先である拠点Ｅの参加を認証する。拠点Ｅの参加が正しく認証されなかった場合（Ｓ２２０４でＮｏ）、拠点Ａは、処理を終了する。
【０３５８】
拠点Ｅの参加が正しく認証された場合（Ｓ２２０４でＹｅｓ）、引き継ぎ情報生成部２１０９は、図２２に示された転送の必要なしとする引き継ぎ情報を生成する（Ｓ２２０５）。
【０３５９】
ここで、引き継ぎ情報生成部２１０９は、接続拠点管理部２１１３が管理する拠点Ｂ、拠点Ｃおよび拠点ＤのＩＰアドレス、参加時間計測部２１２２が測定する接続時間、画像出力制御部２１１８が制御する画面構成から、図２２に示された引き継ぎ情報を生成する。そして、実施の形態２において生成される引き継ぎ情報には、メモリカード２０００、および、再生されていたファイルの情報を示す共有情報が含まれる。また、引き継ぎ情報には、再生された再生時間が含まれる。
【０３６０】
次に、引き継ぎ情報生成部２１０９は、図２５に示されたサーバ変更および接続拠点変更の情報を含むサーバ情報を生成する（Ｓ２２０６）。
【０３６１】
次に、引き継ぎ情報生成部２１０９は、ネットワーク送信部２１１１を介して、拠点Ｅに生成された引き継ぎ情報とサーバ情報を送信する（Ｓ２２０７）。
【０３６２】
次に、引き継ぎ情報生成部２１０９は、拠点Ａのサーバ機能をオフにする（Ｓ２２０８）。すなわち、サーバ部２１１０は、動作を停止する。
【０３６３】
次に、有効期間生成部２１３１は、テレビ会議の引き継ぎのための有効期間を生成する（Ｓ２２０９）。ここで、引き継ぎ情報生成部２１０９は、図２５に示されたサーバ情報のように、有効期間生成部２１３１により生成された有効期間をサーバ情報に含めてもよい。
【０３６４】
次に、ネットワーク送信部２１１１は、有効期間生成部２１３１により生成された有効期間についての通知を、接続していた拠点である拠点Ｂ、拠点Ｃおよび拠点Ｄに送信する（Ｓ２２１０）。
【０３６５】
次に、拠点Ａは、各拠点との接続を切断する（Ｓ２２１１）。
【０３６６】
このようにして、拠点Ａは、引き継ぎ情報を送信し、拠点Ｂ、拠点Ｃおよび拠点Ｄとのテレビ会議通信を終了する。
【０３６７】
その後、ユーザは、メモリカード復号化部２１３２からメモリカード２０００を取り出し、拠点Ｅへ移動する。
【０３６８】
図４１は、図３３に示された実施の形態２における拠点Ｂ、拠点Ｃおよび拠点Ｄの処理を示すフローチャートである。
【０３６９】
まず、ネットワーク受信部２２１２は、有効期間の通知を受信したかを判定する（Ｓ２３０１）。
【０３７０】
ここで、ネットワーク受信部２２１２が有効期間の通知を受信しなかった場合（Ｓ２３０１でＮｏ）、処理は終了する。
【０３７１】
一方、ネットワーク受信部２２１２が有効期間の通知を受信した場合（Ｓ２３０１でＹｅｓ）、ネットワーク受信部２２１２は、引き継ぎ先である拠点Ｅから引き継ぎ元である拠点Ａとの切断要求を受信する（Ｓ２３０２）。そして、拠点Ｂ、拠点Ｃおよび拠点Ｄは、それぞれ、拠点Ａとの接続を切断する（Ｓ２３０３）。また、ネットワーク受信部２２１２は、有効期間計測部２２３４に有効期間を出力する。
【０３７２】
次に、有効期間計測部２２３４は、経過時間が有効期間内であるか否かを判定する（Ｓ２３０４）。経過時間が有効期間を超過している場合（Ｓ２３０４でＮｏ）、拠点Ｂ、拠点Ｃおよび拠点Ｄの処理は終了する。
【０３７３】
経過時間が有効期間内である場合（Ｓ２３０４でＹｅｓ）、ネットワーク受信部２２１２は、引き継ぎ先拠点である拠点Ｅからの接続要求を受信したか否かを判定する（Ｓ２３０５）。ネットワーク受信部２２１２が接続要求を受信していない場合（Ｓ２３０５でＮｏ）、再度、有効期間計測部２２３４は、経過時間が有効期間内であるか否かを判定する（Ｓ２３０４）。
【０３７４】
拠点Ｂ、拠点Ｃおよび拠点Ｄは、それぞれ、拠点Ｅからの接続要求を受信した場合（Ｓ２３０５でＹｅｓ）、拠点Ｅと接続する（Ｓ２３０６）。
【０３７５】
次に、拠点Ｂ、拠点Ｃおよび拠点Ｄは、引き継ぎ先である拠点Ｅとのテレビ会議通信を開始する（Ｓ２３０７）。
【０３７６】
これにより、拠点Ｂ、拠点Ｃおよび拠点Ｄは、接続先を拠点Ａから拠点Ｅに切り替える。
【０３７７】
図４２は、図３３に示された実施の形態２における拠点Ｅの処理を示すフローチャートである。
【０３７８】
まず、ネットワーク受信部２３１２が、サーバ情報および引き継ぎ情報を受信したかを判定する（Ｓ２４０１）。
【０３７９】
ここで、ネットワーク受信部２３１２がサーバ情報および引き継ぎ情報を受信しなかった場合（Ｓ２４０１でＮｏ）、拠点Ｅの処理は終了する。
【０３８０】
一方、ネットワーク受信部２３１２がサーバ情報および引き継ぎ情報を受信した場合（Ｓ２４０１でＹｅｓ）、サーバ部２３１０は、サーバ情報を用いて、サーバとしての動作を開始する。すなわち、拠点Ｅのサーバ機能がオンとなる（Ｓ２４０２）。
【０３８１】
次に、サーバ部２３１０は、サーバ情報を用いて、管理されている接続拠点情報を更新する（Ｓ２４０３）。
【０３８２】
次に、引き継ぎ設定部２３２４は、ネットワーク受信部２３１２が受信した引き継ぎ情報に基づいて、テレビ会議装置２３００の設定をする（Ｓ２４０４）。ここでの処理は、図１７に示された実施の形態１における拠点Ｅの処理（Ｓ１８０６）と同様である。
【０３８３】
実施の形態２では、さらに、引き継ぎ設定部２３２４は、引き継ぎ情報に含まれるメモリカード２０００の情報、ファイルの情報および再生位置の情報を再生位置設定部２３３５に出力する。そして、メモリカード復号化部２３３２は、メモリカード２０００が挿入された後、再生位置設定部２３３５に出力された情報を初期値として、メモリカード２０００に格納されたデータを復号化する。
【０３８４】
次に、サーバ部２３１０は、ネットワーク送信部２３１１を介して、引き継ぎ元である拠点Ａとの切断要求を各拠点に送信する（Ｓ２４０５）。次に、サーバ部２３１０は、ネットワーク送信部２３１１を介して、拠点Ｅとの接続要求を各拠点に送信する（Ｓ２４０６）。これにより、拠点Ｅは、各拠点に接続する（Ｓ２４０７）。次に、拠点Ｅは、各拠点とのテレビ会議通信を開始する（Ｓ２４０８）。
【０３８５】
これにより、拠点Ｅは、拠点Ａにおける設定を引き継いで、テレビ会議通信を開始する。
【０３８６】
図４３は、図３３に示された実施の形態２における引き継ぎ直後の拠点Ｅの表示画面を示す図である。
【０３８７】
画像出力部２３２０は、再生位置設定部２３３５が、記憶媒体、ファイルおよび再生位置等の情報を保持している場合、それらの情報を出力してもよい。図４３では、ファイル名である「東京ｖｓ大阪」を表示する例が示されている。
【０３８８】
さらに、ユーザが拠点Ｅのメモリカード復号化部２３３２にメモリカード２０００を挿入すると、再生位置設定部２３３５が保持する、記憶媒体、ファイルおよび再生位置等の情報に基づいて、拠点Ｅのテレビ会議装置２３００は、拠点Ａのテレビ会議装置２１００で再生されていたデータを再生されていた時点から再生する。
【０３８９】
以上のように、拠点Ｅは、拠点Ａにおいてテレビ会議を行っていた拠点とテレビ会議通信を継続する。このとき、引き継ぎ設定部２３２４が、拠点Ａにおける設定を拠点Ｅに反映しているため、拠点Ｅは、拠点Ａと同様の設定に基づいてテレビ会議通信が可能となる。
【０３９０】
なお、上記の説明では、３拠点以上の接続について説明をしたが、２拠点においても引き継ぎ元と引き継ぎ先を同じとすることで、切断時の状態を維持することができる。
【０３９１】
また、上記の説明では、メモリカード２０００に記録された動画データを共有する例について説明したが、静止画像や文字ファイルについても、同様の手段により、ファイル名やファイル位置を引き継ぐことができる。
【０３９２】
また、実施の形態２で示された有効期間は、実施の形態１で示された制限時間に対応する。つまり、有効期間は、制限時間に置き換えられてもよい。
【０３９３】
以上のように、実施の形態２によれば、引き継ぎ元である拠点Ａは、引き継ぎ先である拠点Ｅへ、引き継ぎ情報とサーバ情報を送信する。また、拠点Ａは、他の拠点へ接続の有効期間を通知する。そして、他の拠点が、有効期間内に、拠点Ｅに接続することで、拠点Ｅは、それまで行われていたテレビ会議の状態とサーバ機能を引き継ぐことができる。また、拠点Ｅは、切断時に共有していた情報を簡単に再現することができる。
【０３９４】
（実施の形態３）
次に、本発明の実施の形態３について図面を用いて説明する。
【０３９５】
図４４は、実施の形態３におけるテレビ会議システムの概要図である。図４４には、拠点Ａおよび拠点Ｂにおいて、テレビ会議が行われている例が示されている。また、実施の形態３では、拠点Ａのテレビ会議装置３１００が参加認証の管理をするサーバ機能を持つ拠点Ｂのテレビ会議装置３２００とテレビ会議通信を行っているとき、拠点Ｅのテレビ会議装置３３００が、拠点Ａのテレビ会議装置３１００におけるテレビ会議通信を引き継ぐ場合を想定している。テレビ会議装置３３００は、移動体端末である。
【０３９６】
図４５は、図４４に示された実施の形態３における拠点Ａのテレビ会議装置の構成図である。
【０３９７】
図４５に示されたテレビ会議装置３１００は、画像入力部３１０１、音声入力部３１０２、符号化制御部３１０３、画像符号化部３１０４、音声符号化部３１０５、多重化部３１０６、出力パケット保存部３１０７、引き継ぎ情報生成部３１０９、ネットワーク送信部３１１１、ネットワーク受信部３１１２、接続拠点管理部３１１３、入力パケット保存部３１１４、多重化分離部３１１５、画像復号化部３１１６、音声復号化部３１１７、画像出力制御部３１１８、音声出力制御部３１１９、画像出力部３１２０、音声出力部３１２１、参加時間計測部３１２２、無線送信部３１４１および無線受信部３１４２を備える。
【０３９８】
符号化制御部３１０３、画像符号化部３１０４、音声符号化部３１０５、多重化部３１０６、出力パケット保存部３１０７、引き継ぎ情報生成部３１０９、接続拠点管理部３１１３、入力パケット保存部３１１４、多重化分離部３１１５、画像復号化部３１１６、音声復号化部３１１７、画像出力制御部３１１８、音声出力制御部３１１９および参加時間計測部３１２２は、ＬＳＩ３１５０によって実現されるものとしてもよい。
【０３９９】
テレビ会議装置３１００の画像入力部３１０１、音声入力部３１０２、符号化制御部３１０３、画像符号化部３１０４、音声符号化部３１０５、多重化部３１０６、出力パケット保存部３１０７、引き継ぎ情報生成部３１０９、ネットワーク送信部３１１１、ネットワーク受信部３１１２、接続拠点管理部３１１３、入力パケット保存部３１１４、多重化分離部３１１５、画像復号化部３１１６、音声復号化部３１１７、画像出力制御部３１１８、音声出力制御部３１１９、画像出力部３１２０、音声出力部３１２１および参加時間計測部３１２２は、図３に示された実施の形態１におけるテレビ会議装置１１００の画像入力部１１０１、音声入力部１１０２、符号化制御部１１０３、画像符号化部１１０４、音声符号化部１１０５、多重化部１１０６、出力パケット保存部１１０７、引き継ぎ情報生成部１１０９、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０、音声出力部１１２１および参加時間計測部１１２２と同様の動作をする。
【０４００】
さらに、無線受信部３１４２は、移動体端末であるテレビ会議装置３３００から引き継ぎ要求を受信する。
【０４０１】
また、引き継ぎ情報生成部３１０９は、無線受信部３１４２が受信した引き継ぎ要求を受けて、接続拠点管理部３１１３が管理する拠点のＩＰアドレス、符号化制御部３１０３が設定する解像度、ビットレート、フレームレート、および、参加時間計測部３１２２が計測する接続時間に基づいて、拠点Ｅに対する引き継ぎ情報を生成する。
【０４０２】
また、無線送信部３１４１は、引き継ぎ情報生成部３１０９により生成された引き継ぎ情報を、移動体端末であるテレビ会議装置３３００に送信する。
【０４０３】
図４６は、図４４に示された実施の形態３における拠点Ｂのテレビ会議装置の構成図である。
【０４０４】
図４６に示されたテレビ会議装置３２００は、画像入力部３２０１、音声入力部３２０２、符号化制御部３２０３、音声符号化部３２０５、多重化部３２０６、出力パケット保存部３２０７、サーバ部３２１０、ネットワーク送信部３２１１、ネットワーク受信部３２１２、接続拠点管理部３２１３、入力パケット保存部３２１４、多重化分離部３２１５、画像復号化部３２１６、音声復号化部３２１７、画像出力制御部３２１８、音声出力制御部３２１９、画像出力部３２２０、音声出力部３２２１、引き継ぎ表示設定部３２２３、第１画像符号化部３２４３および第２画像符号化部３２４４を備える。
【０４０５】
符号化制御部３２０３、音声符号化部３２０５、多重化部３２０６、出力パケット保存部３２０７、サーバ部３２１０、接続拠点管理部３２１３、入力パケット保存部３２１４、多重化分離部３２１５、画像復号化部３２１６、音声復号化部３２１７、画像出力制御部３２１８、音声出力制御部３２１９、引き継ぎ表示設定部３２２３、第１画像符号化部３２４３および第２画像符号化部３２４４は、ＬＳＩ３２５０によって実現されるものとしてもよい。
【０４０６】
テレビ会議装置３２００の画像入力部３２０１、音声入力部３２０２、符号化制御部３２０３、音声符号化部３２０５、多重化部３２０６、出力パケット保存部３２０７、サーバ部３２１０、ネットワーク送信部３２１１、ネットワーク受信部３２１２、接続拠点管理部３２１３、入力パケット保存部３２１４、多重化分離部３２１５、画像復号化部３２１６、音声復号化部３２１７、画像出力制御部３２１８、音声出力制御部３２１９、画像出力部３２２０、音声出力部３２２１および引き継ぎ表示設定部３２２３は、図４に示された実施の形態１におけるテレビ会議装置１２００の画像入力部１２０１、音声入力部１２０２、符号化制御部１２０３、音声符号化部１２０５、多重化部１２０６、出力パケット保存部１２０７、サーバ部１２１０、ネットワーク送信部１２１１、ネットワーク受信部１２１２、接続拠点管理部１２１３、入力パケット保存部１２１４、多重化分離部１２１５、画像復号化部１２１６、音声復号化部１２１７、画像出力制御部１２１８、音声出力制御部１２１９、画像出力部１２２０、音声出力部１２２１および引き継ぎ表示設定部１２２３と同様の動作をする。
【０４０７】
さらに、第１画像符号化部３２４３および第２画像符号化部３２４４は、それぞれ、符号化制御部３２０３が設定する符号化条件に従い、ビデオ入力信号を符号化する。第１画像符号化部３２４３および第２画像符号化部３２４４は、互いに異なる解像度でビデオ入力信号を符号化する。例えば、第２画像符号化部３２４４は、移動体端末であるテレビ会議装置３３００のために、低い解像度で符号化する。
【０４０８】
また、ネットワーク受信部３２１２は、移動体端末であるテレビ会議装置３３００から解像度情報を受信する。
【０４０９】
また、符号化制御部３２０３は、ネットワーク受信部３２１２が受信した解像度情報により、第１画像符号化部３２４３および第２画像符号化部３２４４の動作を制御する。すなわち、符号化制御部３２０３は、解像度情報がテレビ会議装置３１００の解像度に対応するものであれば、第１画像符号化部３２４３にビデオ入力信号を符号化させる。また、符号化制御部３２０３は、解像度情報が移動体端末であるテレビ会議装置３３００の解像度に対応するものであれば、第２画像符号化部３２４４にビデオ入力信号を符号化させる。
【０４１０】
なお、テレビ会議装置３３００は無線により通信するが、テレビ会議装置３２００は、ネットワークを介して、テレビ会議装置３３００と通信することが可能である。
【０４１１】
図４７は、図４４に示された実施の形態３における拠点Ｅのテレビ会議装置の構成図である。
【０４１２】
図４７に示されたテレビ会議装置３３００は、画像入力部３３０１、音声入力部３３０２、符号化制御部３３０３、画像符号化部３３０４、音声符号化部３３０５、多重化部３３０６、出力パケット保存部３３０７、入力部３３０８、接続拠点管理部３３１３、入力パケット保存部３３１４、多重化分離部３３１５、画像復号化部３３１６、音声復号化部３３１７、画像出力制御部３３１８、音声出力制御部３３１９、画像出力部３３２０、音声出力部３３２１、参加時間計測部３３２２、引き継ぎ設定部３３２４、無線送信部３３４１、無線受信部３３４２および引き継ぎ要求情報生成部３３４５を備える。
【０４１３】
符号化制御部３３０３、画像符号化部３３０４、音声符号化部３３０５、多重化部３３０６、出力パケット保存部３３０７、接続拠点管理部３３１３、入力パケット保存部３３１４、多重化分離部３３１５、画像復号化部３３１６、音声復号化部３３１７、画像出力制御部３３１８、音声出力制御部３３１９、参加時間計測部３３２２、引き継ぎ設定部３３２４および引き継ぎ要求情報生成部３３４５は、ＬＳＩ３３５０によって実現されるものとしてもよい。
【０４１４】
テレビ会議装置３３００の画像入力部３３０１、音声入力部３３０２、符号化制御部３３０３、画像符号化部３３０４、音声符号化部３３０５、多重化部３３０６、出力パケット保存部３３０７、接続拠点管理部３３１３、入力パケット保存部３３１４、多重化分離部３３１５、画像復号化部３３１６、音声復号化部３３１７、画像出力制御部３３１８、音声出力制御部３３１９、画像出力部３３２０、音声出力部３３２１、参加時間計測部３３２２および引き継ぎ設定部３３２４は、図５に示された実施の形態１におけるテレビ会議装置１３００の画像入力部１３０１、音声入力部１３０２、符号化制御部１３０３、画像符号化部１３０４、音声符号化部１３０５、多重化部１３０６、出力パケット保存部１３０７、接続拠点管理部１３１３、入力パケット保存部１３１４、多重化分離部１３１５、画像復号化部１３１６、音声復号化部１３１７、画像出力制御部１３１８、音声出力制御部１３１９、画像出力部１３２０、音声出力部１３２１、参加時間計測部１３２２および引き継ぎ設定部１３２４と同様の動作をする。
【０４１５】
さらに、無線送信部３３４１および無線受信部３３４２は、無線によってデータ送信およびデータ受信を行い、図５に示されたネットワーク送信部１３１１およびネットワーク受信部１３１２と同様の動作をする。
【０４１６】
また、入力部３３０８は、例えば、引き継ぎ要求ボタン押下を受け付けることにより、ユーザから引き継ぎの要求を受け付ける。
【０４１７】
また、引き継ぎ要求情報生成部３３４５は、入力部３３０８が受け付けた引き継ぎの要求により、引き継ぎ要求情報を生成する。
【０４１８】
また、無線送信部３３４１は、引き継ぎ要求情報生成部３３４５により生成された引き継ぎ要求情報を送信する。また、無線送信部３３４１は、無線受信部３３４２が引き継ぎ情報を受信すると、テレビ会議装置３３００の解像度情報をテレビ会議装置３２００に送信する。
【０４１９】
以上のように構成されたテレビ会議装置における引き継ぎ動作について説明する。
【０４２０】
図４８は、図４４に示された実施の形態３における引き継ぎ処理を示すシーケンス図である。実施の形態３では、拠点Ｅが電源オンの状態であり（Ｓ３１０１）、拠点Ｂがサーバ機能オンの状態である（Ｓ３１０２）ことを前提としている。
【０４２１】
まず、拠点Ｅは、引き継ぎ要求情報を拠点Ａに送信する（Ｓ３１０３）。
【０４２２】
次に、拠点Ａは、拠点Ｅの参加を認証する（Ｓ３１０４）。
【０４２３】
次に、拠点Ａは、引き継ぎ情報を拠点Ｅに送信する（Ｓ３１０５）。
【０４２４】
次に、拠点Ａは、接続拠点変更を示すサーバ情報を拠点Ｂに送信する（Ｓ３１０６）。
【０４２５】
次に、拠点Ｂは、拠点Ａに切断要求を送信する（Ｓ３１０７）。
【０４２６】
次に、拠点Ｅは、拠点Ｂに接続要求を送信する（Ｓ３１０８）。これにより、拠点Ｅと拠点Ｂとが接続する（Ｓ３１０９）。
【０４２７】
次に、拠点Ｂは、拠点Ｅとの通信を開始する（Ｓ３１１０）。
【０４２８】
これによって、拠点Ｅは拠点Ａからテレビ会議通信を引き継ぐことができる。
【０４２９】
図４９は、図４４に示された実施の形態３における拠点Ａの処理を示すフローチャートである。
【０４３０】
まず、無線受信部３１４２は、テレビ会議装置３３００からの引き継ぎ要求情報を受信する（Ｓ３２０１）。
【０４３１】
次に、引き継ぎ情報生成部３１０９は、拠点Ｅのテレビ会議装置が拠点Ａのテレビ会議装置と互換性を有することを確認することにより、拠点Ｅを認証する（Ｓ３２０２）。または、拠点Ａのユーザが、引き継ぎ要求情報を画面で確認し、認証してもよい。拠点Ｅが正しく認証されなかった場合（Ｓ３２０３でＮｏ）、拠点Ａは処理を終了する。
【０４３２】
拠点Ｅが正しく認証された場合（Ｓ３２０３でＹｅｓ）、引き継ぎ情報生成部３１０９は、無線受信部３１４２が受信した引き継ぎ要求情報により、転送の必要なしとする引き継ぎ情報を生成する（Ｓ３２０４）。
【０４３３】
次に、引き継ぎ情報生成部３１０９は、接続拠点変更の情報を含むサーバ情報を生成する（Ｓ３２０５）。
【０４３４】
次に、無線送信部３１４１は、生成された引き継ぎ情報を拠点Ｅに送信し、生成されたサーバ情報を拠点Ｂに送信する（Ｓ３２０６）。
【０４３５】
次に、拠点Ａは、サーバである拠点Ｂからの切断要求を受けて、拠点Ｂとの接続を切断する（Ｓ３２０７）。
【０４３６】
図５０は、図４４に示された実施の形態３における拠点Ｂの処理を示すフローチャートである。
【０４３７】
まず、拠点Ｂのネットワーク受信部３２１２は、拠点Ａからサーバ情報を受信したかを判定する（Ｓ３３０１）。
【０４３８】
ここで、ネットワーク受信部３２１２がサーバ情報を受信しなかった場合（Ｓ３３０１でＮｏ）、拠点Ｂの処理は終了する。
【０４３９】
一方、ネットワーク受信部３２１２がサーバ情報を受信した場合（Ｓ３３０１でＹｅｓ）、サーバ部３２１０は、ネットワーク受信部３２１２が受信した情報を用いて、サーバ情報として管理されている接続拠点情報を更新する（Ｓ３３０２）。
【０４４０】
次に、接続拠点管理部３２１３は、サーバ部３２１０から接続拠点変更の情報を取得して、接続拠点情報を更新する。そして、ネットワーク送信部３２１１を介して、引き継ぎ元拠点である拠点Ａへ切断要求を送信する（Ｓ３３０３）。これにより、拠点Ａとの接続が切断される（Ｓ３３０４）。
【０４４１】
次に、サーバ部３２１０は、経過時間が制限時間内であるか否かを判定する（Ｓ３３０５）。経過時間が制限時間を超過している場合（Ｓ３３０５でＮｏ）、拠点Ｂの処理は終了する。
【０４４２】
経過時間が制限時間内である場合（Ｓ３３０５でＹｅｓ）、サーバ部３２１０は、ネットワーク受信部３２１２が引き継ぎ先拠点である拠点Ｅからの接続要求を受信したか否かを判定する（Ｓ３３０６）。ネットワーク受信部３２１２が接続要求を受信していない場合（Ｓ３３０６でＮｏ）、再度、サーバ部３２１０は、経過時間が制限時間内であるか否かを判定する（Ｓ３３０５）。
【０４４３】
ネットワーク受信部３２１２が接続要求を受信した場合（Ｓ３３０６でＹｅｓ）、拠点Ｂは、拠点Ｅと接続する（Ｓ３３０７）。
【０４４４】
次に、拠点Ｂは、引き継ぎ先である拠点Ｅとのテレビ会議通信を開始する（Ｓ３３０８）。
【０４４５】
図５１は、図４４に示された実施の形態３における拠点Ｅの処理を示すフローチャートである。
【０４４６】
まず、入力部３３０８は、引き継ぎの要求を受け付ける。そして、引き継ぎ要求情報生成部３３４５は、受け付けた要求により引き継ぎ要求情報を生成する。無線送信部３３４１は、引き継ぎ要求情報を送信する（Ｓ３４０１）。そして、引き継ぎ元である拠点Ａによって、拠点Ｅが正常に認証されなかった場合（Ｓ３４０２でＮｏ）、拠点Ｅは処理を終了する。
【０４４７】
拠点Ｅが正常に認証された場合（Ｓ３４０２）、無線受信部３３４２は、引き継ぎ情報を受信する（Ｓ３４０３）。
【０４４８】
次に、無線受信部３３４２は、引き継ぎ設定部３３２４に対して引き継ぎ情報を出力する。そして、引き継ぎ設定部３３２４は、引き継ぎ情報に基づいて、テレビ会議装置３３００の設定をする（Ｓ３４０４）。この処理は、図１７に示された実施の形態１における処理（Ｓ１８０６）と同様である。ここでは、拠点Ａと拠点Ｅにおける相互の環境の違いにより、引き継ぎ設定部３３２４は、一部の設定を除外してもよい。
【０４４９】
次に、無線送信部３３４１は、拠点Ｂに接続要求を送信する（Ｓ３４０５）。そして、拠点Ｅは、拠点Ｂと接続し（Ｓ３４０６）、通信を開始する（Ｓ３４０７）。
【０４５０】
これにより、拠点Ｅは、拠点Ａにおける設定を引き継いで、テレビ会議通信を開始する。
【０４５１】
以上のように、実施の形態３によれば、引き継ぎ元である拠点Ａと引き継ぎ先である拠点Ｅの解像度が異なる場合、接続先である拠点Ｂは各拠点に適した解像度で符号化を行うことできる。また、引き継ぎ先である拠点Ｅから拠点Ａへ引き継ぎの要求を行うことができる。
【０４５２】
（実施の形態４）
次に、本発明の実施の形態４について図面を用いて説明する。実施の形態４は、比較的簡単な構成によって実現される。
【０４５３】
図５２は、実施の形態４におけるテレビ会議システムの概要図である。図５２には、拠点Ａおよび拠点Ｂにおいて、テレビ会議が行われている例が示されている。また、実施の形態４では、拠点Ａのテレビ会議装置４１００が、サーバ機能を持つ拠点Ｂのテレビ会議装置４２００とテレビ会議通信を行っているとき、拠点Ｅのテレビ会議装置４３００が、拠点Ａのテレビ会議装置４１００におけるテレビ会議通信を引き継ぐ場合を想定している。
【０４５４】
図５３は、図５２に示された実施の形態４における拠点Ａのテレビ会議装置の構成図である。
【０４５５】
図５３に示されたテレビ会議装置４１００は、画像入力部４１０１、音声入力部４１０２、符号化制御部４１０３、画像符号化部４１０４、音声符号化部４１０５、多重化部４１０６、出力パケット保存部４１０７、入力部４１０８、引き継ぎ情報生成部４１０９、ネットワーク送信部４１１１、ネットワーク受信部４１１２、接続拠点管理部４１１３、入力パケット保存部４１１４、多重化分離部４１１５、画像復号化部４１１６、音声復号化部４１１７、画像出力制御部４１１８、音声出力制御部４１１９、画像出力部４１２０、音声出力部４１２１および参加時間計測部４１２２を備える。
【０４５６】
符号化制御部４１０３、画像符号化部４１０４、音声符号化部４１０５、多重化部４１０６、出力パケット保存部４１０７、引き継ぎ情報生成部４１０９、接続拠点管理部４１１３、入力パケット保存部４１１４、多重化分離部４１１５、画像復号化部４１１６、音声復号化部４１１７、画像出力制御部４１１８、音声出力制御部４１１９および参加時間計測部４１２２は、ＬＳＩ４１５０によって実現されるものとしてもよい。
【０４５７】
テレビ会議装置４１００の画像入力部４１０１、音声入力部４１０２、符号化制御部４１０３、画像符号化部４１０４、音声符号化部４１０５、多重化部４１０６、出力パケット保存部４１０７、入力部４１０８、引き継ぎ情報生成部４１０９、ネットワーク送信部４１１１、ネットワーク受信部４１１２、接続拠点管理部４１１３、入力パケット保存部４１１４、多重化分離部４１１５、画像復号化部４１１６、音声復号化部４１１７、画像出力制御部４１１８、音声出力制御部４１１９、画像出力部４１２０、音声出力部４１２１および参加時間計測部４１２２は、図３に示された実施の形態１におけるテレビ会議装置１１００の画像入力部１１０１、音声入力部１１０２、符号化制御部１１０３、画像符号化部１１０４、音声符号化部１１０５、多重化部１１０６、出力パケット保存部１１０７、入力部１１０８、引き継ぎ情報生成部１１０９、ネットワーク送信部１１１１、ネットワーク受信部１１１２、接続拠点管理部１１１３、入力パケット保存部１１１４、多重化分離部１１１５、画像復号化部１１１６、音声復号化部１１１７、画像出力制御部１１１８、音声出力制御部１１１９、画像出力部１１２０、音声出力部１１２１および参加時間計測部１１２２と同様の動作をする。
【０４５８】
図５４は、図５２に示された実施の形態４における拠点Ｂのテレビ会議装置の構成図である。
【０４５９】
図５４に示されたテレビ会議装置４２００は、画像入力部４２０１、音声入力部４２０２、符号化制御部４２０３、画像符号化部４２０４、音声符号化部４２０５、多重化部４２０６、出力パケット保存部４２０７、サーバ部４２１０、ネットワーク送信部４２１１、ネットワーク受信部４２１２、接続拠点管理部４２１３、入力パケット保存部４２１４、多重化分離部４２１５、画像復号化部４２１６、音声復号化部４２１７、画像出力制御部４２１８、音声出力制御部４２１９、画像出力部４２２０、音声出力部４２２１および引き継ぎ表示設定部４２２３を備える。
【０４６０】
符号化制御部４２０３、画像符号化部４２０４、音声符号化部４２０５、多重化部４２０６、出力パケット保存部４２０７、サーバ部４２１０、接続拠点管理部４２１３、入力パケット保存部４２１４、多重化分離部４２１５、画像復号化部４２１６、音声復号化部４２１７、画像出力制御部４２１８、音声出力制御部４２１９および引き継ぎ表示設定部４２２３は、ＬＳＩ４２５０によって実現されるものとしてもてもよい。
【０４６１】
テレビ会議装置４２００の画像入力部４２０１、音声入力部４２０２、符号化制御部４２０３、画像符号化部４２０４、音声符号化部４２０５、多重化部４２０６、出力パケット保存部４２０７、サーバ部４２１０、ネットワーク送信部４２１１、ネットワーク受信部４２１２、接続拠点管理部４２１３、入力パケット保存部４２１４、多重化分離部４２１５、画像復号化部４２１６、音声復号化部４２１７、画像出力制御部４２１８、音声出力制御部４２１９、画像出力部４２２０、音声出力部４２２１および引き継ぎ表示設定部４２２３は、図４に示された実施の形態１におけるテレビ会議装置１２００の画像入力部１２０１、音声入力部１２０２、符号化制御部１２０３、画像符号化部１２０４、音声符号化部１２０５、多重化部１２０６、出力パケット保存部１２０７、サーバ部１２１０、ネットワーク送信部１２１１、ネットワーク受信部１２１２、接続拠点管理部１２１３、入力パケット保存部１２１４、多重化分離部１２１５、画像復号化部１２１６、音声復号化部１２１７、画像出力制御部１２１８、音声出力制御部１２１９、画像出力部１２２０、音声出力部１２２１および引き継ぎ表示設定部１２２３と同様の動作をする。
【０４６２】
図５５は、図５２に示された実施の形態４における拠点Ｅのテレビ会議装置の構成図である。
【０４６３】
図５５に示されたテレビ会議装置４３００は、画像入力部４３０１、音声入力部４３０２、符号化制御部４３０３、画像符号化部４３０４、音声符号化部４３０５、多重化部４３０６、出力パケット保存部４３０７、ネットワーク送信部４３１１、ネットワーク受信部４３１２、接続拠点管理部４３１３、入力パケット保存部４３１４、多重化分離部４３１５、画像復号化部４３１６、音声復号化部４３１７、画像出力制御部４３１８、音声出力制御部４３１９、画像出力部４３２０、音声出力部４３２１、参加時間計測部４３２２および引き継ぎ設定部４３２４を備える。
【０４６４】
符号化制御部４３０３、画像符号化部４３０４、音声符号化部４３０５、多重化部４３０６、出力パケット保存部４３０７、接続拠点管理部４３１３、入力パケット保存部４３１４、多重化分離部４３１５、画像復号化部４３１６、音声復号化部４３１７、画像出力制御部４３１８、音声出力制御部４３１９、参加時間計測部４３２２および引き継ぎ設定部４３２４は、ＬＳＩ４３５０によって実現されるものとしてもよい。
【０４６５】
テレビ会議装置４３００の画像入力部４３０１、音声入力部４３０２、符号化制御部４３０３、画像符号化部４３０４、音声符号化部４３０５、多重化部４３０６、出力パケット保存部４３０７、ネットワーク送信部４３１１、ネットワーク受信部４３１２、接続拠点管理部４３１３、入力パケット保存部４３１４、多重化分離部４３１５、画像復号化部４３１６、音声復号化部４３１７、画像出力制御部４３１８、音声出力制御部４３１９、画像出力部４３２０、音声出力部４３２１、参加時間計測部４３２２および引き継ぎ設定部４３２４は、図５に示された実施の形態１におけるテレビ会議装置１３００の画像入力部１３０１、音声入力部１３０２、符号化制御部１３０３、画像符号化部１３０４、音声符号化部１３０５、多重化部１３０６、出力パケット保存部１３０７、ネットワーク送信部１３１１、ネットワーク受信部１３１２、接続拠点管理部１３１３、入力パケット保存部１３１４、多重化分離部１３１５、画像復号化部１３１６、音声復号化部１３１７、画像出力制御部１３１８、音声出力制御部１３１９、画像出力部１３２０、音声出力部１３２１、参加時間計測部１３２２および引き継ぎ設定部１３２４と同様の動作をする。
【０４６６】
以上のように構成されたテレビ会議装置における引き継ぎ動作について説明する。
【０４６７】
図５６は、図５２に示された実施の形態４における引き継ぎ処理を示すシーケンス図である。実施の形態４では、拠点Ｅが電源オンの状態であり（Ｓ４１０１）、拠点Ｂがサーバ機能オンの状態である（Ｓ４１０２）ことを前提としている。
【０４６８】
まず、拠点Ａは、引き継ぎ情報を拠点Ｅに送信する（Ｓ４１０３）。
【０４６９】
次に、拠点Ａは、接続拠点変更を示すサーバ情報を拠点Ｂに送信する（Ｓ４１０４）。
【０４７０】
次に、拠点Ｂは、拠点Ａに切断要求を送信する（Ｓ４１０５）。これにより、拠点Ａとの接続は、切断される。
【０４７１】
次に、拠点Ｅは、拠点Ｂに接続要求を送信する（Ｓ４１０６）。次に、拠点Ｂは、実施の形態１と同様に、拠点Ｅのテレビ会議への参加を認証する（Ｓ４１０７）。次に、拠点Ｂは、拠点Ｅと接続する（Ｓ４１０８）。
【０４７２】
次に、拠点Ｂは、拠点Ｅとの通信を開始する（Ｓ４１０９）。
【０４７３】
これによって、拠点Ｅは拠点Ａからテレビ会議通信を引き継ぐことができる。
【０４７４】
図５７は、図５２に示された実施の形態４における拠点Ａの処理を示すフローチャートである。
【０４７５】
まず、テレビ会議中の拠点Ａにおいて、入力部４１０８は、テレビ会議の引き継ぎボタン押下を受け付ける（Ｓ４２０１）。
【０４７６】
次に、画像出力制御部４１１８は、図２６に示された画面を表示するように画像出力部４１２０を制御する。入力部４１０８は、新たな拠点Ｅへテレビ会議の引き継ぎを行うため、引き継ぎ先である拠点ＥのＩＰアドレスの入力を受け付ける（Ｓ４２０２）。また、入力部４１０８は、引き継ぎ処理を行うか否かの選択を受け付ける。そして受け付けた情報を引き継ぎ情報生成部４１０９に通知する。
【０４７７】
次に、引き継ぎ情報生成部４１０９は、入力部４１０８が受け付けた引き継ぎの要求により、図６０に示された転送の必要なしとする引き継ぎ情報を生成する（Ｓ４２０３）。
【０４７８】
次に、引き継ぎ情報生成部４１０９は、接続拠点変更の情報を含むサーバ情報を生成する（Ｓ４２０４）。
【０４７９】
次に、ネットワーク送信部４１１１は、生成された引き継ぎ情報を拠点Ｅに送信し、生成されたサーバ情報を拠点Ｂに送信する（Ｓ４２０５）。
【０４８０】
次に、ネットワーク受信部４１１２が切断要求を受けて、拠点Ａは、拠点Ｂとの接続を切断する（Ｓ４２０６）。
【０４８１】
図５８は、図５２に示された実施の形態４における拠点Ｂの処理を示すフローチャートである。
【０４８２】
まず、拠点Ｂのネットワーク受信部４２１２は、拠点Ａからサーバ情報を受信したかを判定する（Ｓ４３０１）。
【０４８３】
ここで、ネットワーク受信部４２１２がサーバ情報を受信しなかった場合（Ｓ４３０１でＮｏ）、拠点Ｂの処理は終了する。
【０４８４】
一方、ネットワーク受信部４２１２がサーバ情報を受信した場合（Ｓ４３０１でＹｅｓ）、サーバ部４２１０は、ネットワーク受信部４２１２が受信した情報を用いて、サーバ情報として管理されている接続拠点情報を更新する（Ｓ４３０２）。
【０４８５】
次に、接続拠点管理部４２１３は、サーバ部４２１０から接続拠点変更の情報を取得して、接続拠点情報を更新する。そして、ネットワーク送信部４２１１を介して、引き継ぎ元である拠点Ａへ切断要求を送信する（Ｓ４３０３）。これにより、引き継ぎ元である拠点Ａとの接続が切断される（Ｓ４３０４）。
【０４８６】
次に、サーバ部４２１０は、経過時間が制限時間内であるか否かを判定する（Ｓ４３０５）。経過時間が制限時間を超過している場合（Ｓ４３０５でＮｏ）、拠点Ｂの処理は終了する。
【０４８７】
経過時間が制限時間内である場合（Ｓ４３０５でＹｅｓ）、サーバ部４２１０は、ネットワーク受信部４２１２が引き継ぎ先拠点である拠点Ｅからの接続要求を受信したか否かを判定する（Ｓ４３０６）。ネットワーク受信部４２１２が接続要求を受信していない場合（Ｓ４３０６でＮｏ）、再度、サーバ部４２１０は、経過時間が制限時間内であるか否かを判定する（Ｓ４３０５）。
【０４８８】
ネットワーク受信部４２１２が接続要求を受信した場合（Ｓ４３０６でＹｅｓ）、サーバ部４２１０は、実施の形態１と同様に、拠点Ｅのテレビ会議への参加を認証する（Ｓ４３０７）。
【０４８９】
ここで、拠点Ｅが正しく認証されなかった場合（Ｓ４３０８でＮｏ）、再度、サーバ部４２１０は、経過時間が制限時間内であるか否かを判定する（Ｓ４３０５）。
【０４９０】
一方、拠点Ｅが正しく認証された場合（Ｓ４３０８でＹｅｓ）、拠点Ｂは、拠点Ｅと接続する（Ｓ４３０９）。次に、拠点Ｂは、引き継ぎ先である拠点Ｅとのテレビ会議通信を開始する（Ｓ４３１０）。
【０４９１】
図５９は、図５２に示された実施の形態４における拠点Ｅの処理を示すフローチャートである。
【０４９２】
まず、ネットワーク受信部４３１２は、引き継ぎ情報を受信したかを判定する（Ｓ４４０１）。
【０４９３】
ここで、ネットワーク受信部４３１２が引き継ぎ情報を受信しなかった場合（Ｓ４４０１でＮｏ）、拠点Ｅは処理を終了する。
【０４９４】
一方、ネットワーク受信部４３１２が引き継ぎ情報を受信した場合（Ｓ４４０１でＹｅｓ）、ネットワーク受信部４３１２は、引き継ぎ設定部４３２４に対して引き継ぎ情報を出力する。そして、引き継ぎ設定部４３２４は、引き継ぎ情報に基づいて、テレビ会議装置４３００の設定をする（Ｓ４４０２）。この処理は、図１７に示された実施の形態１における拠点Ｅの処理（Ｓ１８０６）と同様である。
【０４９５】
次に、ネットワーク送信部４３１１は、サーバとして動作する拠点Ｂに接続要求を送信する（Ｓ４４０３）。そして、拠点Ｅの参加が認証される。
【０４９６】
ここで、参加が正常に認証されなかった場合（Ｓ４４０４でＮｏ）、拠点Ｅの処理は終了する。
【０４９７】
一方、参加が正常に認証された場合（Ｓ４４０４でＹｅｓ）、拠点Ｅは、拠点Ｂと接続し（Ｓ４４０５）、拠点Ｂとの通信を開始する（Ｓ４４０６）。
【０４９８】
これにより、拠点Ｅは、拠点Ａにおける設定を引き継いで、テレビ会議通信を開始する。
【０４９９】
図６０は、図５２に示された実施の形態４における引き継ぎ情報のデータ構造図である。
【０５００】
図６０に示された引き継ぎ情報は、転送の必要なしを示す転送情報を含む。また、引き継ぎ情報は、引き継ぎ元の拠点が接続していた接続拠点数、および、引き継ぎ元の拠点で表示されていた画面構成を含む。
【０５０１】
また、引き継ぎ情報は、引き継ぎ元の拠点が接続していた拠点のＩＰアドレスを含む。また、引き継ぎ情報は、引き継ぎ元の拠点が接続していた拠点に対応する解像度、ビットレートおよびフレームレートを含む。また、引き継ぎ情報は、テレビ会議への参加時間等を示す接続時間を含む。
【０５０２】
以上のように、比較的簡単な構成である実施の形態４によっても、拠点Ａから拠点Ｅへの引き継ぎができる。
【０５０３】
なお、図５３、図５４および図５５に示された各テレビ会議装置の構成要素の全てが、課題解決に必要というわけではない。図５３に示された引き継ぎ情報生成部４１０９が、テレビ会議装置に応じた各構成要素から引き継ぎ情報を生成し、ネットワーク送信部４１１１が引き継ぎ情報を送信し、図５５に示されたネットワーク受信部４３１２が引き継ぎ情報を受信し、引き継ぎ設定部４３２４が引き継ぎ情報を用いて、テレビ会議装置に応じた各構成要素を設定することにより、テレビ会議通信の引き継ぎが行われる。
【０５０４】
（実施の形態５）
図６１は、実施の形態５におけるテレビ会議システムの構成図である。
【０５０５】
図６１に示されたテレビ会議システムは、第１テレビ会議装置５１００、第２テレビ会議装置５２００および第３テレビ会議装置５３００を備える。第１テレビ会議装置５１００は、引き継ぎ情報生成部５１０９および送信部５１１１を備える。第３テレビ会議装置５３００は、受信部５３１２および引き継ぎ設定部５３２４を備える。
【０５０６】
引き継ぎ情報生成部５１０９は、第１テレビ会議装置５１００が第２テレビ会議装置５２００とのテレビ会議に用いた画面構成の設定情報を含む引き継ぎ情報を生成する。
【０５０７】
送信部５１１１は、引き継ぎ情報生成部５１０９が生成した引き継ぎ情報を送信する。
【０５０８】
受信部５３１２は、引き継ぎ情報を受信する。
【０５０９】
引き継ぎ設定部５３２４は、第３テレビ会議装置５３００のテレビ会議への参加が認証された後に第３テレビ会議装置５３００が画面構成を引き継いで第２テレビ会議装置５２００とのテレビ会議を実行するように、受信部５３１２が受信した引き継ぎ情報を用いて第３テレビ会議装置５３００の画面構成を設定する。
【０５１０】
図６２は、実施の形態５におけるテレビ会議システムの処理を示すフローチャートである。
【０５１１】
まず、引き継ぎ情報生成部５１０９は、第１テレビ会議装置５１００が第２テレビ会議装置５２００とのテレビ会議に用いた画面構成の設定情報を含む引き継ぎ情報を生成する（Ｓ５００１）。
【０５１２】
次に、送信部５１１１は、引き継ぎ情報生成部５１０９が生成した引き継ぎ情報を送信する（Ｓ５００２）。
【０５１３】
次に、受信部５３１２は、引き継ぎ情報を受信する（Ｓ５００３）。
【０５１４】
次に、引き継ぎ設定部５３２４は、第３テレビ会議装置５３００のテレビ会議への参加が認証された後に第３テレビ会議装置５３００が画面構成を引き継いで第２テレビ会議装置５２００とのテレビ会議を実行するように、受信部５３１２が受信した引き継ぎ情報を用いて第３テレビ会議装置５３００の画面構成を設定する（Ｓ５００４）。
【０５１５】
以上、本発明に係るテレビ会議システムおよびテレビ会議装置について、実施の形態１〜５に基づいて説明したが、本発明はこれらの実施の形態に限定されるものではない。これらの実施の形態に対して当業者が思いつく変形を施して得られる形態、および、これらの実施の形態における構成要素を任意に組み合わせて実現される別の形態も本発明に含まれる。例えば、各テレビ会議装置が備える構成要素を全て含むテレビ会議装置も本発明に含まれる。
【０５１６】
なお、図３、図４、図５および図６等に示されたテレビ会議装置のように、テレビ会議装置の主な構成要素は、集積回路であるＬＳＩとして実現されてもよい。これらの主な構成要素は、個別に１チップ化されてもよいし、一部または全てを含むように１チップ化されてもよい。
【０５１７】
ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩまたはウルトラＬＳＩと呼称されることもある。
【０５１８】
また、集積回路化の手法はＬＳＩに限るものではなく、専用回路または汎用プロセッサで実現してもよい。プログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定を再構成可能なリコンフィギュラブル・プロセッサを利用してもよい。
【０５１９】
さらには、半導体技術の進歩または派生する別技術によりＬＳＩに置き換わる集積回路化の技術が登場すれば、当然、その技術を用いて、テレビ会議装置の構成要素の集積化を行ってもよい。
【０５２０】
また、テレビ会議装置の構成要素のうち、データを格納する手段だけ１チップ化せずに別構成としてもよい。
【０５２１】
また、本発明は、テレビ会議システムおよびテレビ会議装置として実現できるだけでなく、テレビ会議システムおよびテレビ会議装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データおよび信号として実現したりすることもできる。そして、それらプログラム、情報、データおよび信号は、インターネット等の通信ネットワークを介して配信してもよい。
【産業上の利用可能性】
【０５２２】
本発明は、テレビ会議システムのユーザが、別の場所に移動する場合であっても、テレビ会議システムの利用を継続できるテレビ会議システムおよびテレビ会議装置として利用できる。
【符号の説明】
【０５２３】
１１００、１２００、１３００、１４００、２１００、２２００、２３００、３１００、３２００、３３００、４１００、４２００、４３００  テレビ会議装置
１１０１、１２０１、１３０１、１４０１、２１０１、２２０１、２３０１、３１０１、３２０１、３３０１、４１０１、４２０１、４３０１  画像入力部
１１０２、１２０２、１３０２、１４０２、２１０２、２２０２、２３０２、３１０２、３２０２、３３０２、４１０２、４２０２、４３０２  音声入力部
１１０３、１２０３、１３０３、１４０３、２１０３、２２０３、２３０３、３１０３、３２０３、３３０３、４１０３、４２０３、４３０３  符号化制御部
１１０４、１２０４、１３０４、１４０４、２１０４、２２０４、２３０４、３１０４、３３０４、４１０４、４２０４、４３０４  画像符号化部
１１０５、１２０５、１３０５、１４０５、２１０５、２２０５、２３０５、３１０５、３２０５、３３０５、４１０５、４２０５、４３０５  音声符号化部
１１０６、１２０６、１３０６、１４０６、２１０６、２２０６、２３０６、３１０６、３２０６、３３０６、４１０６、４２０６、４３０６  多重化部
１１０７、１２０７、１３０７、１４０７、２１０７、２２０７、２３０７、３１０７、３２０７、３３０７、４１０７、４２０７、４３０７  出力パケット保存部
１１０８、２１０８、３３０８、４１０８  入力部
１１０９、２１０９、３１０９、４１０９、５１０９  引き継ぎ情報生成部
１１１０、１２１０、２１１０、２３１０、３２１０、４２１０  サーバ部
１１１１、１２１１、１３１１、１４１１、２１１１、２２１１、２３１１、３１１１、３２１１、４１１１、４２１１、４３１１  ネットワーク送信部
１１１２、１２１２、１３１２、１４１２、２１１２、２２１２、２３１２、３１１２、３２１２、４１１２、４２１２、４３１２  ネットワーク受信部
１１１３、１２１３、１３１３、１４１３、２１１３、２２１３、２３１３、３１１３、３２１３、３３１３、４１１３、４２１３、４３１３  接続拠点管理部
１１１４、１２１４、１３１４、１４１４、２１１４、２２１４、２３１４、３１１４、３２１４、３３１４、４１１４、４２１４、４３１４  入力パケット保存部
１１１５、１２１５、１３１５、１４１５、２１１５、２２１５、２３１５、３１１５、３２１５、３３１５、４１１５、４２１５、４３１５  多重化分離部
１１１６、１２１６、１３１６、１４１６、２１１６、２２１６、２３１６、３１１６、３２１６、３３１６、４１１６、４２１６、４３１６  画像復号化部
１１１７、１２１７、１３１７、１４１７、２１１７、２２１７、２３１７、３１１７、３２１７、３３１７、４１１７、４２１７、４３１７  音声復号化部
１１１８、１２１８、１３１８、１４１８、２１１８、２２１８、２３１８、３１１８、３２１８、３３１８、４１１８、４２１８、４３１８  画像出力制御部
１１１９、１２１９、１３１９、１４１９、２１１９、２２１９、２３１９、３１１９、３２１９、３３１９、４１１９、４２１９、４３１９  音声出力制御部
１１２０、１２２０、１３２０、１４２０、２１２０、２２２０、２３２０、３１２０、３２２０、３３２０、４１２０、４２２０、４３２０  画像出力部
１１２１、１２２１、１３２１、１４２１、２１２１、２２２１、２３２１、３１２１、３２２１、３３２１、４１２１、４２２１、４３２１  音声出力部
１１２２、１３２２、２１２２、２３２２、３１２２、３３２２、４１２２、４３２２  参加時間計測部
１１５０、１２５０、１３５０、１４５０、２１５０、２２５０、２３５０、３１５０、３２５０、３３５０、４１５０、４２５０、４３５０  ＬＳＩ
１２２３、１４２３、２２２３、３２２３、４２２３  引き継ぎ表示設定部
１２２５  引き継ぎ情報保存部
１２２６、１４２６  認証情報入力部
１３２４、２３２４、３３２４、４３２４、５３２４  引き継ぎ設定部
２０００  メモリカード
２１３１  有効期間生成部
２１３２、２３３２  メモリカード復号化部
２１３３  再生位置保持部
２２３４  有効期間計測部
２３３５  再生位置設定部
３１４１、３３４１  無線送信部
３１４２、３３４２  無線受信部
３２４３  第１画像符号化部
３２４４  第２画像符号化部
３３４５  引き継ぎ要求情報生成部
５１００  第１テレビ会議装置
５１１１  送信部
５２００  第２テレビ会議装置
５３００  第３テレビ会議装置
５３１２  受信部
【図１】
0005497768.tif 000002
【図２】
0005497768.tif 000003
【図３】
0005497768.tif 000004
【図４】
0005497768.tif 000005
【図５】
0005497768.tif 000006
【図６】
0005497768.tif 000007
【図７】
0005497768.tif 000008
【図８】
0005497768.tif 000009
【図９】
0005497768.tif 000010
【図１０】
0005497768.tif 000011
【図１１】
0005497768.tif 000012
【図１２】
0005497768.tif 000013
【図１３】
0005497768.tif 000014
【図１４】
0005497768.tif 000015
【図１５】
0005497768.tif 000016
【図１６】
0005497768.tif 000017
【図１７】
0005497768.tif 000018
【図１８】
0005497768.tif 000019
【図１９】
0005497768.tif 000020
【図２０】
0005497768.tif 000021
【図２１】
0005497768.tif 000022
【図２２】
0005497768.tif 000023
【図２３】
0005497768.tif 000024
【図２４】
0005497768.tif 000025
【図２５】
0005497768.tif 000026
【図２６】
0005497768.tif 000027
【図２７】
0005497768.tif 000028
【図２８】
0005497768.tif 000029
【図２９】
0005497768.tif 000030
【図３０】
0005497768.tif 000031
【図３１】
0005497768.tif 000032
【図３２】
0005497768.tif 000033
【図３３】
0005497768.tif 000034
【図３４】
0005497768.tif 000035
【図３５】
0005497768.tif 000036
【図３６】
0005497768.tif 000037
【図３７】
0005497768.tif 000038
【図３８】
0005497768.tif 000039
【図３９】
0005497768.tif 000040
【図４０】
0005497768.tif 000041
【図４１】
0005497768.tif 000042
【図４２】
0005497768.tif 000043
【図４３】
0005497768.tif 000044
【図４４】
0005497768.tif 000045
【図４５】
0005497768.tif 000046
【図４６】
0005497768.tif 000047
【図４７】
0005497768.tif 000048
【図４８】
0005497768.tif 000049
【図４９】
0005497768.tif 000050
【図５０】
0005497768.tif 000051
【図５１】
0005497768.tif 000052
【図５２】
0005497768.tif 000053
【図５３】
0005497768.tif 000054
【図５４】
0005497768.tif 000055
【図５５】
0005497768.tif 000056
【図５６】
0005497768.tif 000057
【図５７】
0005497768.tif 000058
【図５８】
0005497768.tif 000059
【図５９】
0005497768.tif 000060
【図６０】
0005497768.tif 000061
【図６１】
0005497768.tif 000062
【図６２】
0005497768.tif 000063